(57)【要約】【課題】患者に対して効率的かつ容易に、適切な服薬指導を行うことが可能な服薬指導支援装置、服薬指導支援方法、および服薬指導支援プログラムを提供することを目的とする。【解決手段】  製薬会社が製造する薬の添付情報として当該製薬会社により発行される複数の添付資料を表示させる服薬指導支援装置１０であって、服薬指導の指示を受け付けた場合に、患者が処方された１の薬名に関連付けられた前記複数の添付資料を、表示装置３６に一覧表示させる一覧表示制御手段と、前記一覧表示制御手段により前記表示装置３６に一覧表示された前記添付資料のうち、少なくとも１の前記添付資料を前記出力装置５０に出力させる出力制御手段と、を備えることを特徴とする服薬指導支援装置、服薬指導支援方法、および服薬指導支援プログラムを提供する。【選択図】図１
2020144828.tif 000002
【特許請求の範囲】
【請求項１】
製薬会社が製造する薬の添付情報として当該製薬会社により発行される複数の添付資料を、当該薬の薬名と関連付けて記憶する添付資料記憶部と、
前記添付資料記憶部に記憶された前記添付資料を表示装置に表示させ、前記表示装置に表示された表示内容に基づく情報を出力装置に出力させる制御部と、
を備える服薬指導支援装置であって、
前記制御部は、
服薬指導の指示を受け付けた場合に、患者が処方された１の薬名に関連付けて前記添付資料記憶部に記憶されている前記複数の添付資料を、前記表示装置に一覧表示させる一覧表示制御手段と、
前記一覧表示制御手段により前記表示装置に一覧表示された前記添付資料のうち、少なくとも１の前記添付資料を前記出力装置に出力させる出力制御手段と、
を備えることを特徴とする服薬指導支援装置。
【請求項２】
請求項１に記載の服薬指導支援装置において、
前記制御部は、前記患者の診療情報又は調剤情報を示す医療情報を表示するための画面であって、前記添付資料の表示指示を受け付ける資料表示ボタンを備える医療情報画面を、前記表示装置に表示させる医療情報表示制御手段をさらに備え、
前記制御部の前記一覧表示制御手段は、前記医療情報表示制御手段により表示された前記資料表示ボタンを介して前記表示指示を受け付けた場合に、前記添付資料を前記表示装置に一覧表示させることを特徴とする服薬指導支援装置。
【請求項３】
請求項２に記載の服薬指導支援装置において、
前記制御部の前記医療情報表示制御手段は、前記医療情報画面に表示される薬名に関連付けられた前記添付資料が前記添付資料記憶部に記憶されている場合に当該薬名に前記資料表示ボタンを対応付けて表示させ、前記医療情報画面に表示される薬名に関連付けられた前記添付資料が前記添付資料記憶部に記憶されていない場合に当該薬名に対応付けられた前記資料表示ボタンを表示させないよう制御することを特徴とする服薬指導支援装置。
【請求項４】
請求項１〜３のいずれかに記載の服薬指導支援装置において、
前記制御部は、前記患者の診療情報又は調剤情報を示す医療情報が記憶される医療情報記憶部に、服薬指導内容を当該医療情報に追加して記憶させる記憶制御手段をさらに備え、
前記制御部の前記一覧表示制御手段は、前記薬名に関連付けて前記添付資料記憶部に記憶されている前記添付資料を一覧表示するための画面であって、前記服薬指導内容を前記医療情報に追加して記憶させる指導記録指示を受け付ける指導記録ボタンを備える添付資料画面を、前記表示装置に表示させ、
前記制御部の前記記憶制御手段は、前記指導記録指示を受け付けた場合に、前記出力制御手段により前記出力装置に出力させた前記添付資料を示す情報を前記服薬指導内容として、前記医療情報に追加して前記医療情報記憶部に記憶させることを特徴とする服薬指導支援装置。
【請求項５】
請求項４に記載の服薬指導支援装置において、
前記医療情報は、前記患者の診察又は服薬指導により得られた情報を内容毎に複数の項目に分類して前記医療情報記憶部に記憶されるものであり、
前記制御部の前記一覧表示制御手段は、前記医療情報のうち前記服薬指導内容を追加する前記項目を指定可能な前記添付資料画面を前記表示装置に表示させ、
前記制御部の前記記憶制御手段は、前記出力制御手段により出力させた前記添付資料を示す情報を、前記医療情報のうち、前記添付資料画面を介して指定された前記項目に追加して前記医療情報記憶部に記憶させることを特徴とする服薬指導支援装置。
【請求項６】
請求項１〜５のいずれかに記載の服薬指導支援装置において、
前記添付資料記憶部は、初回服用患者用の前記添付資料および継続服用患者用の前記添付資料を含む複数の前記添付資料を、前記薬名と関連付けて記憶しており、
前記制御部の前記一覧表示制御手段は、前記初回服用患者用の添付資料の表示指示を受け付けた場合に、患者が処方された１の薬名に関連付けて前記添付資料記憶部に記憶されている前記添付資料のうち、前記初回服用患者用の添付資料のみを前記表示装置に表示させることを特徴とする服薬指導支援装置。
【請求項７】
請求項１〜６のいずれかに記載の服薬指導支援装置において、
前記添付資料記憶部は、前記薬名と関連付けて、複数の前記添付資料を種類ごとに分類して記憶しており、
前記制御部の前記一覧表示制御手段は、前記服薬指導の指示を受け付けた場合に、患者が処方された１の薬名に関連付けて前記添付資料記憶部に記憶されている前記添付資料のうち、１の種類に分類された前記添付資料を前記表示装置に一覧表示させ、他の種類の前記添付資料の表示指示を受け付けた場合に、当該他の種類に分類された前記添付資料を一覧表示させることを特徴とする服薬指導支援装置。
【請求項８】
製薬会社が製造する薬の添付情報として当該製薬会社により発行される複数の添付資料を表示させる服薬指導支援装置を用いた服薬指導支援方法であって、
服薬指導の指示を受け付けた場合に、患者が処方された１の薬名に関連付けられた前記複数の添付資料を、表示装置に一覧表示させる一覧表示制御工程と、
前記一覧表示制御工程により前記表示装置に一覧表示された前記添付資料のうち、少なくとも１の前記添付資料を前記出力装置に出力させる出力制御工程と、
を含むことを特徴とする服薬指導支援方法。
【請求項９】
製薬会社が製造する薬の添付情報として当該製薬会社により発行される複数の添付資料を表示させるコンピュータで実行される服薬指導支援プログラムであって、
前記コンピュータが、
服薬指導の指示を受け付けた場合に、患者が処方された１の薬名に関連付けられた前記複数の添付資料を、表示装置に一覧表示させる一覧表示制御機能と、
前記一覧表示制御機能により前記表示装置に一覧表示された前記添付資料のうち、少なくとも１の前記添付資料を出力装置に出力させる出力制御機能と、
を実現させることを特徴とする服薬指導支援プログラム。
【発明の詳細な説明】
【技術分野】
【０００１】
本発明は服薬指導支援装置、服薬指導支援方法および服薬指導支援プログラムに関する。
【背景技術】
【０００２】
従来から、高血圧や糖尿病等の生活習慣病の予防または治療のため、医師、薬剤師、栄養士、保健師等の医療従事者（指導者）による患者の健康状態に応じた保健指導が行われている。特に、平成２０年に特定保健指導が義務付けられたことにより、このような保健指導がさらに重要視されている。保健指導の一例として、患者が病院で診察を受けた際には、医師や看護師等により、当該患者に対して、処方した薬の服薬指導に加えて、病気の予防又は治療に関する食事指導や運動指導が行われている。また、患者が院外の薬局で薬を受け取る際には、薬剤師により、処方された薬の服薬指導に加えて、食事指導や運動指導が行われている。
【０００３】
図１２は、従来の服薬指導方法を説明するための図である。
【０００４】
特許文献１には、薬の外形カラー写真を含む薬の名称、作用、用法、注意事項等を電子化した薬剤情報が記憶された記憶装置９１１と、薬剤情報を出力するカラー印刷機９０３と、薬剤情報のうち出力させたい情報を選択するための入力装置９０２と、各装置を制御するための中央処理装置９１２とを有する薬剤情報提供システムが開示されている。このシステムでは、入力装置９０２からの指令に基づき記憶装置９１１に記憶されている薬剤情報のうち、薬のカラー写真を含む出力を要する情報を選択してカラー印刷機９０３に出力させる。このように従来のシステムによれば、薬剤師は、出力された薬剤情報に基づき、容易且つ少ない労力で患者への適切な服薬指導を行うことができる。
【先行技術文献】
【特許文献】
【０００５】
【特許文献１】特開平０９−３０７７２２号公報
【発明の概要】
【発明が解決しようとする課題】
【０００６】
ところで、指導者は、上述のような薬剤情報に加え、製薬会社が発行する薬の添付資料であって、薬の服用方法や副作用等の詳細な情報を記載した医薬品指導箋を、患者に提供して服薬指導を行う場合がある。近年では、医薬品指導箋に加え、病気に関する詳細な情報を記載した疾病指導箋、食事療法や生活習慣等の生活指導について記載した生活指導指導箋、運動療法について記載した運動療法指導箋等、多種多様な添付資料が製薬会社により発行されている。指導者は、患者に服薬指導を行う際に、これらの添付資料から患者に適した添付資料を選び、当該服薬指導の一環として食事指導や運動指導等を併せて行う場合がある。
【０００７】
しかしながら、多種多様な添付資料の中から患者に適した添付資料を選ぶことは、指導者の経験値や技術力による個人差が大きく、経験の浅い指導者にとっては、患者に適した添付資料を選ぶことが難しく、適切な服薬指導が行われない可能性があった。また、経験豊富な指導者であっても、多数の患者それぞれに対し、多種多様な添付資料の中から当該対象者に適した添付資料を選ぶことは、指導者の負荷が大きく、患者に対して効率的かつ容易に、適切な服薬指導を行うことが求められている。
【０００８】
そこで、本発明は、上記のような問題を解決するためになされたものであり、患者に対して効率的かつ容易に、適切な服薬指導を行うことが可能な服薬指導支援装置、服薬指導支援方法、および服薬指導支援プログラムを提供することを目的とする。
【課題を解決するための手段】
【０００９】
［１］本発明の服薬指導支援装置は、製薬会社が製造する薬の添付情報として当該製薬会社により発行される複数の添付資料を、当該薬の薬名と関連付けて記憶する添付資料記憶部と、前記添付資料記憶部に記憶された前記添付資料を表示装置に表示させ、前記表示装置に表示された表示内容に基づく情報を出力装置に出力させる制御部と、を備える服薬指導支援装置であって、前記制御部は、服薬指導の指示を受け付けた場合に、患者が処方された１の薬名に関連付けて前記添付資料記憶部に記憶されている前記複数の添付資料を、前記表示装置に一覧表示させる一覧表示制御手段と、前記一覧表示制御手段により前記表示装置に一覧表示された前記添付資料のうち、少なくとも１の前記添付資料を前記出力装置に出力させる出力制御手段と、を備える。
【００１０】
本発明の服薬指導支援装置は、患者が処方された１の薬名に関連付けられた複数の添付資料を表示装置に一覧表示させる一覧表示制御手段と、一覧表示された添付資料のうち少なくとも１の添付資料を出力装置に出力させる出力制御手段と、を備えるため、患者に対して効率的かつ容易に、適切な服薬指導を行うことができる。
【００１１】
なお、本明細書において、「添付資料」とは、製薬会社が製造する薬の添付情報として当該製薬会社により発行される文書、画像、動画等から構成される資料であり、指導箋ともいう。また、本明細書において、「患者」とは、服薬指導を受ける人のことをいい、年齢、現実の疾患の有無を問わず、現在病気を患っていない健常人も含む意味で用いている。また、本明細書において、「服薬指導」とは、処方された薬の服用に関する指導に加え、病気の予防または治療に関する食事指導や運動指導等も含む意味で用いている。また、本明細書において、「出力装置」とは、表示装置に表示された表示内容に基づく情報を印刷可能な印刷装置、或いは、当該情報を表示可能な携帯端末等を示す。
【００１２】
［２］本発明の服薬指導支援装置においては、前記制御部は、前記患者の診療情報又は調剤情報を示す医療情報を表示するための画面であって、前記添付資料の表示指示を受け付ける資料表示ボタンを備える医療情報画面を、前記表示装置に表示させる医療情報表示制御手段をさらに備え、前記制御部の前記一覧表示制御手段は、前記医療情報表示制御手段により表示された前記資料表示ボタンを介して前記表示指示を受け付けた場合に、前記添付資料を前記表示装置に一覧表示させることが好ましい。
【００１３】
このように、一覧表示制御手段が、医療情報画面に設けられた資料表示ボタンを介して表示指示を受け付けた場合に、添付資料を一覧表示させるため、指導者は、患者に対して、診察や服薬指導を行うために医療情報画面を表示した状態で、資料表示ボタンによる簡易な操作により服薬指導のために必要な添付資料を表示することができる。よって、指導者の負荷を軽減し、より効率的に服薬指導を行うことができる。
【００１４】
なお、本明細書において、「診療情報」とは、患者の既往歴、治療、投薬、および服薬指導等の内容を記録した情報のことであり、電子カルテともいう。また、本明細書において、「調剤情報」とは、薬剤師が行う調剤および服薬指導の内容を記録した情報のことであり、薬歴ともいう。
【００１５】
［３］本発明の服薬指導支援装置においては、前記制御部の前記医療情報表示制御手段は、前記医療情報画面に表示される薬名に関連付けられた前記添付資料が前記添付資料記憶部に記憶されている場合に当該薬名に前記資料表示ボタンを対応付けて表示させ、前記医療情報画面に表示される薬名に関連付けられた前記添付資料が前記添付資料記憶部に記憶されていない場合に当該薬名に対応付けられた前記資料表示ボタンを表示させないよう制御することが好ましい。
【００１６】
このように、医療情報表示制御手段が、医療情報画面に表示される薬名に関連付けられた添付資料が記憶されている場合に当該薬名に資料表示ボタンを対応付けて表示させ、医療情報画面に表示される薬名に関連付けられた添付資料が記憶されていない場合に当該薬名に対応付けられた資料表示ボタンを表示させないよう制御するため、指導者は、医療情報画面から処方された薬の添付資料があるか否かを容易に判断することができ、より効率的に服薬指導を行うことができる。
【００１７】
［４］本発明の服薬指導支援装置においては、前記制御部は、前記患者の診療情報又は調剤情報を示す医療情報が記憶される医療情報記憶部に、服薬指導内容を当該医療情報に追加して記憶させる記憶制御手段をさらに備え、前記制御部の前記一覧表示制御手段は、前記薬名に関連付けて前記添付資料記憶部に記憶されている前記添付資料を一覧表示するための画面であって、前記服薬指導内容を前記医療情報に追加して記憶させる指導記録指示を受け付ける指導記録ボタンを備える添付資料画面を、前記表示装置に表示させ、前記制御部の前記記憶制御手段は、前記指導記録指示を受け付けた場合に、前記出力制御手段により前記出力装置に出力させた前記添付資料を示す情報を前記服薬指導内容として、前記医療情報に追加して前記医療情報記憶部に記憶させることが好ましい。
【００１８】
このように、一覧表示制御手段により表示された添付資料画面の指導記録ボタンを介して指導記録指示を受け付けた場合に、出力装置により出力させた添付資料を示す情報を服薬指導内容として医療情報に追加して記憶させる記憶制御手段を備えるため、指導者は、指導記録ボタンによる簡易な操作を行うだけで、出力装置により出力された添付資料を示す情報を服薬指導内容として、医療情報に追加して記憶させることができる。よって、指導者が患者に対して服薬指導を行った後に別途行っていた服薬指導内容の入力作業を省略することができ、指導者の負荷を軽減し、より効率的に服薬指導を行うことができる。
【００１９】
［５］本発明の服薬指導支援装置においては、前記医療情報は、前記患者の診察又は服薬指導により得られた情報を内容毎に複数の項目に分類して前記医療情報記憶部に記憶されるものであり、前記制御部の前記一覧表示制御手段は、前記医療情報のうち前記服薬指導内容を追加する前記項目を指定可能な前記添付資料画面を前記表示装置に表示させ、前記制御部の前記記憶制御手段は、前記出力制御手段により出力させた前記添付資料を示す情報を、前記医療情報のうち、前記添付資料画面を介して指定された前記項目に追加して前記医療情報記憶部に記憶させることが好ましい。
【００２０】
一般に、医療情報である電子カルテや薬歴は、問題指向型診療記録（ＰＯＭＲ；Ｐｒｏｂｌｅｍ  Ｏｒｉｅｎｔｅｄ  Ｍｅｄｉｃａｌ  Ｒｅｃｏｒｄ）に係るＳＯＡＰ方式に従って分類された項目ごとに必要な情報が記録されるものが多い。すなわち、服薬指導内容を電子カルテ又は薬歴に記録する場合においても、適切な項目に服薬指導内容を記録する必要がある。本発明では、出力装置により出力された添付資料を示す情報を服薬指導内容として、医療情報のうち、一覧表示制御手段により表示された添付資料画面を介して指定された項目に追加して記憶させる記憶制御手段を備えるため、指導者の負荷を軽減し、より効率的に服薬指導を行うことができる。
【００２１】
なお、本明細書において、「項目」とは、「Ｓ（Ｓｕｂｊｅｃｔｉｖｅ：患者の訴え等の主観的情報）」、「Ｏ（Ｏｂｊｅｃｔｉｖｅ：検査結果、検査画像等の客観的情報）」、「Ａ（Ａｓｓｅｓｓｍｅｎｔ：医師や薬剤師の診断・評価）」、「Ｐ（Ｐｌａｎ：治療方針・計画）」からなるＳＯＡＰ方式の分類を示す。
【００２２】
［６］本発明の服薬指導支援装置においては、前記添付資料記憶部は、初回服用患者用の前記添付資料および継続服用患者用の前記添付資料を含む複数の前記添付資料を、前記薬名と関連付けて記憶しており、前記制御部の前記一覧表示制御手段は、前記初回服用患者用の添付資料の表示指示を受け付けた場合に、患者が処方された１の薬名に関連付けて前記添付資料記憶部に記憶されている前記添付資料のうち、前記初回服用患者用の添付資料のみを前記表示装置に表示させることが好ましい。
【００２３】
このように、一覧表示制御手段が、初回服用患者用の添付資料の表示指示を受け付けた場合に、患者が処方された１の薬名に関連付けられた添付資料のうち、初回服用患者用の添付資料のみを表示装置に表示させるため、指導者は、処方された薬を初めて服用する患者に対して服薬指導を行う場合に、当該患者に適した添付資料を容易に抽出することができ、より効率的に服薬指導を行うことができる。
【００２４】
［７］本発明の服薬指導支援装置においては、前記添付資料記憶部は、前記薬名と関連付けて、複数の前記添付資料を種類ごとに分類して記憶しており、前記制御部の前記一覧表示制御手段は、前記服薬指導の指示を受け付けた場合に、患者が処方された１の薬名に関連付けて前記添付資料記憶部に記憶されている前記添付資料のうち、１の種類に分類された前記添付資料を前記表示装置に一覧表示させ、他の種類の前記添付資料の表示指示を受け付けた場合に、当該他の種類に分類された前記添付資料を一覧表示させることが好ましい。
【００２５】
このように、一覧表示制御手段が、患者が処方された１の薬名に関連付けられた添付資料のうち、１の種類に分類された添付資料を表示装置に一覧表示させ、他の種類の添付資料への表示変更指示を受け付けた場合に、当該他の種類に分類された添付資料を一覧表示させるため、指導者は、患者に対して服薬指導を行う際に、種類ごとに添付資料の表示を切り替えることができる。よって、指導者は、必要な添付資料を容易に抽出することができ、より効率的に服薬指導を行うことができる。
【００２６】
なお、本明細書において、添付資料の「種類」とは、例えば、医薬品指導箋、疾病指導箋、生活指導指導箋等が挙げられる。
【００２７】
［８］本発明の服薬指導支援方法は、製薬会社が製造する薬の添付情報として当該製薬会社により発行される複数の添付資料を表示させる服薬指導支援装置を用いた服薬指導支援方法であって、服薬指導の指示を受け付けた場合に、患者が処方された１の薬名に関連付けられた前記複数の添付資料を、表示装置に一覧表示させる一覧表示制御工程と、前記一覧表示制御工程により前記表示装置に一覧表示された前記添付資料のうち、少なくとも１の前記添付資料を前記出力装置に出力させる出力制御工程と、を含む。
【００２８】
本発明の服薬指導支援方法は、患者が処方された１の薬名に関連付けられた複数の添付資料を表示装置に一覧表示させる一覧表示制御工程と、一覧表示された添付資料のうち少なくとも１の添付資料を出力装置に出力させる出力制御工程と、を含むため、患者に対して効率的かつ容易に、適切な服薬指導を行うことができる。
【００２９】
本発明の服薬指導支援方法においては、前記患者の診療情報又は調剤情報を示す医療情報を表示するための画面であって、前記添付資料の表示指示を受け付ける資料表示ボタンを備える医療情報画面を、前記表示装置に表示させる医療情報表示制御工程を含み、前記一覧表示制御工程は、前記医療情報表示制御工程により表示された前記資料表示ボタンを介して前記表示指示を受け付けた場合に、前記添付資料を前記表示装置に一覧表示させることが好ましい。
【００３０】
本発明の服薬指導支援方法においては、前記医療情報表示制御工程は、前記医療情報画面に表示される薬名に関連付けられた前記添付資料がある場合に当該薬名に前記資料表示ボタンを対応付けて表示させ、前記医療情報画面に表示される薬名に関連付けられた前記添付資料ない場合に当該薬名に対応付けられた前記資料表示ボタンを表示させないよう制御することが好ましい。
【００３１】
本発明の服薬指導支援方法においては、前記患者の診療情報又は調剤情報を示す医療情報が記憶される医療情報記憶部に、服薬指導内容を当該医療情報に追加して記憶させる記憶制御工程を含み、前記一覧表示制御工程は、前記薬名に関連付けられた前記添付資料を一覧表示するための画面であって、前記服薬指導内容を前記医療情報に追加して記憶させる指導記録指示を受け付ける指導記録ボタンを備える添付資料画面を、前記表示装置に表示させ、前記記憶制御工程は、前記指導記録指示を受け付けた場合に、前記出力制御工程により前記出力装置に出力させた前記添付資料を示す情報を前記服薬指導内容として、前記医療情報に追加して前記医療情報記憶部に記憶させることが好ましい。
【００３２】
本発明の服薬指導支援方法においては、前記医療情報は、前記患者の診察又は服薬指導により得られた情報を内容毎に複数の項目に分類して前記医療情報記憶部に記憶されるものであり、前記一覧表示制御工程は、前記医療情報のうち前記服薬指導内容を追加する前記項目を指定可能な前記添付資料画面を前記表示装置に表示させ、前記記憶制御工程は、前記出力制御工程により出力させた前記添付資料を示す情報を、前記医療情報のうち、前記添付資料画面を介して指定された前記項目に追加して前記医療情報記憶部に記憶させることが好ましい。
【００３３】
本発明の服薬指導支援方法においては、前記一覧表示制御工程は、前記初回服用患者用の添付資料の表示指示を受け付けた場合に、患者が処方された１の薬名に関連付けられた初回服用患者用の前記添付資料および継続服用患者用の前記添付資料を含む複数の前記添付資料のうち、前記初回服用患者用の添付資料のみを前記表示装置に表示させることが好ましい。
【００３４】
本発明の服薬指導支援方法においては、前記一覧表示制御工程は、前記服薬指導の指示を受け付けた場合に、種類ごとに分類されて患者が処方された１の薬名に関連付けられた複数の前記添付資料のうち、１の種類に分類された前記添付資料を前記表示装置に一覧表示させ、他の種類の前記添付資料の表示指示を受け付けた場合に、当該他の種類に分類された前記添付資料を一覧表示させることが好ましい。
【００３５】
［９］本発明の栄養指導支援プログラムは、製薬会社が製造する薬の添付情報として当該製薬会社により発行される複数の添付資料を表示させるコンピュータで実行される服薬指導支援プログラムであって、前記コンピュータが、服薬指導の指示を受け付けた場合に、患者が処方された１の薬名に関連付けられた前記複数の添付資料を、表示装置に一覧表示させる一覧表示制御機能と、前記一覧表示制御機能により前記表示装置に一覧表示された前記添付資料のうち、少なくとも１の前記添付資料を出力装置に出力させる出力制御機能と、を実現させる。
【００３６】
本発明の服薬指導支援プログラムは、患者が処方された１の薬名に関連付けられた複数の添付資料を表示装置に一覧表示させる一覧表示制御機能と、一覧表示された添付資料のうち少なくとも１の添付資料を出力装置に出力させる出力制御機能と、をコンピュータに実現させるため、患者に対して効率的かつ容易に、適切な服薬指導を行うことができる。
【００３７】
本発明の服薬指導支援プログラムにおいては、前記コンピュータが、前記患者の診療情報又は調剤情報を示す医療情報を表示するための画面であって、前記添付資料の表示指示を受け付ける資料表示ボタンを備える医療情報画面を、前記表示装置に表示させる医療情報表示制御機能を実現させ、前記一覧表示制御機能は、前記医療情報表示制御機能により表示された前記資料表示ボタンを介して前記表示指示を受け付けた場合に、前記添付資料を前記表示装置に一覧表示させることが好ましい。
【００３８】
本発明の服薬指導支援プログラムにおいては、前記医療情報表示制御機能は、前記医療情報画面に表示される薬名に関連付けられた前記添付資料がある場合に当該薬名に前記資料表示ボタンを対応付けて表示させ、前記医療情報画面に表示される薬名に関連付けられた前記添付資料ない場合に当該薬名に対応付けられた前記資料表示ボタンを表示させないよう制御することが好ましい。
【００３９】
本発明の服薬指導支援プログラムにおいては、前記コンピュータが、前記患者の診療情報又は調剤情報を示す医療情報が記憶される医療情報記憶部に、服薬指導内容を当該医療情報に追加して記憶させる記憶制御機能を実現させ、前記一覧表示制御機能は、前記薬名に関連付けられた前記添付資料を一覧表示するための画面であって、前記服薬指導内容を前記医療情報に追加して記憶させる指導記録指示を受け付ける指導記録ボタンを備える添付資料画面を、前記表示装置に表示させ、前記記憶制御機能は、前記指導記録指示を受け付けた場合に、前記出力制御機能により前記出力装置に出力させた前記添付資料を示す情報を前記服薬指導内容として、前記医療情報に追加して前記医療情報記憶部に記憶させることが好ましい。
【００４０】
本発明の服薬指導支援プログラムにおいては、前記医療情報は、前記患者の診察又は服薬指導により得られた情報を内容毎に複数の項目に分類して前記医療情報記憶部に記憶されるものであり、前記一覧表示制御機能は、前記医療情報のうち前記服薬指導内容を追加する前記項目を指定可能な前記添付資料画面を前記表示装置に表示させ、前記記憶制御機能は、前記出力制御機能により出力させた前記添付資料を示す情報を、前記医療情報のうち、前記添付資料画面を介して指定された前記項目に追加して前記医療情報記憶部に記憶させることが好ましい。
【００４１】
本発明の服薬指導支援プログラムにおいては、前記一覧表示制御機能は、前記初回服用患者用の添付資料の表示指示を受け付けた場合に、患者が処方された１の薬名に関連付けられた初回服用患者用の前記添付資料および継続服用患者用の前記添付資料を含む複数の前記添付資料のうち、前記初回服用患者用の添付資料のみを前記表示装置に表示させることが好ましい。
【００４２】
本発明の服薬指導支援プログラムにおいては、前記一覧表示制御機能は、前記服薬指導の指示を受け付けた場合に、種類ごとに分類されて患者が処方された１の薬名に関連付けられた複数の前記添付資料のうち、１の種類に分類された前記添付資料を前記表示装置に一覧表示させ、他の種類の前記添付資料の表示指示を受け付けた場合に、当該他の種類に分類された前記添付資料を一覧表示させることが好ましい。
【図面の簡単な説明】
【００４３】
【図１】実施形態１で服薬指導支援システム１を説明するブロック図である。
【図２】服薬指導支援システム１の動作の一例を示したシーケンス図である。
【図３】実施形態１でＰＣ３０の表示装置３６に表示される医療情報画面６を示す図である。
【図４】ＰＣ３０の表示装置３６に表示される添付資料画面８を示す図である。
【図５】ＰＣ３０の表示装置３６に表示される添付資料画面８を示す図である。
【図６】出力装置５０に出力される出力結果を示す図である。
【図７】服薬指導支援装置１０の服薬指導支援処理を示すフローチャートを示す図である。
【図８】ＰＣ３０の服薬指導支援処理を示すフローチャートを示す図である。
【図９】出力装置５０の処理を示すフローチャートを示す図である。
【図１０】実施形態２で服薬指導支援システム１ａを説明するブロック図である。
【図１１】実施形態２でＰＣ３０の表示装置３６に表示される医療情報画面６ａを示す図である。
【図１２】従来の服薬指導方法を説明するための図である。
【発明を実施するための形態】
【００４４】
以下、本発明の服薬指導支援装置について、図に示す実施形態に基づいて説明する。なお、各図面は模式図であり、必ずしも実際の構造、外観等を厳密に反映したものではない。
【００４５】
［実施形態１］
実施形態１の服薬指導支援システム１は、患者に対して医師が診察を行う病院等において、医師、看護師、薬剤師等により服薬指導が行われる場合に有用なシステムである。
【００４６】
（服薬指導支援システム１の構成）
本発明の服薬指導支援装置１０を含む服薬指導支援システム１について、図面を参照して説明する。
【００４７】
図１は、実施形態１で服薬指導支援システム１を説明するブロック図である。
【００４８】
服薬指導支援システム１は、服薬指導支援装置１０と、医療情報記憶部２０と、パーソナルコンピュータ３０（以下、「ＰＣ３０」とも称する）と、出力装置５０と、インターネット６０と、ルータ７０と、を備える。
【００４９】
服薬指導支援装置１０は、制御部１１と、ＲＯＭ１３と、ＲＡＭ１４と、添付資料記憶部１５と、ネットワークインターフェース１６（以下、「ネットワークＩ／Ｆ１６」とも称する）と、を備える。これらの構成要素は、バス１８を介して互いに通信可能に構成されている。
【００５０】
制御部１１は、ＣＰＵ（Ｃｅｎｔｒａｌ  Ｐｒｏｃｅｓｓｉｎｇ  Ｕｎｉｔ）であり、ＲＯＭ１３に記憶された各種プログラムに従って処理を実行する。ＲＯＭ１３は、本発明の服薬指導支援プログラム１３０を含む、服薬指導支援装置１０の動作を制御するための各種プログラムを記憶する記憶装置である。ＲＡＭ１４は、各種データを一時的に記憶する記憶装置である。制御部１１は、服薬指導支援プログラム１３０に従い、後述の服薬指導支援処理（図７参照）を実行する。
【００５１】
添付資料記憶部１５は、製薬会社が製造する薬の添付情報として当該製薬会社により発行される複数の添付資料を、当該薬の薬名と関連付けて記憶する記憶装置である。添付資料とは、製薬会社が製造する薬の添付情報として当該製薬会社により発行される文書、画像、動画等から構成される資料であり、指導箋ともいう（図６参照）。添付資料記憶部１５には、複数の薬名それぞれに対し、複数の添付資料が記憶されていることが好ましい。また、添付資料記憶部１５には、複数の薬それぞれに対し、例えば、医薬品指導箋、疾病指導箋、生活指導指導箋、運動療法指導箋等、複数種類の添付資料が記憶されていることが好ましい。医薬品指導箋とは、薬の服用方法や副作用等の詳細な情報を記載した添付資料である。疾病指導箋とは、当該薬の服用により予防又は治癒を促す病気に関する詳細な情報を記載した添付資料である。生活指導指導箋とは、当該病気の予防又は治癒に関する食事療法や生活習慣等の生活指導について記載した添付資料である。運動療法指導箋とは、当該病気の予防又は治癒に関する運動療法について記載した添付資料である。また、添付資料記憶部１５において、薬名に関連付けて記憶されている添付資料は、当該薬を初めて服用する初回服用患者用の添付資料と、当該薬を過去に服用したことがある継続服用患者用の添付資料と、を含むことが好ましい。なお、添付資料記憶部１５に記憶される添付資料は、例えば、製薬会社により添付資料が更新された際等、所定のタイミングで適宜更新されても良い。
【００５２】
ネットワークＩ／Ｆ１６は、インターネット６０を介して、医療情報記憶部２０およびルータ７０等の外部装置との通信を行うインターフェースである。医療情報記憶部２０は、患者を特定する患者情報２２と、医療情報として当該患者の診療情報２４と、を関連付けて記憶する記憶装置である。医療情報記憶部２０は、インターネット６０を介して、服薬指導支援装置１を含む外部装置と通信可能に構成されている。服薬指導支援装置１０の制御部１１は、インターネット６０を介して、医療情報記憶部２０に記憶されている各種情報を取得したり、医療情報記憶部２０に各種情報を格納することができる。患者情報２２とは、例えば、氏名、保険証番号、生年月日等の患者を特定可能な情報である。
【００５３】
診療情報２４とは、患者の既往歴、治療、投薬、および服薬指導等の内容を記録した情報のことであり、電子カルテともいう。すなわち、医療情報記憶部２０には、医師が患者を診察した際に電子カルテに記入された診察内容が、診療情報２４として記憶されている。一般に、電子カルテは、問題指向型診療記録（ＰＯＭＲ；Ｐｒｏｂｌｅｍ  Ｏｒｉｅｎｔｅｄ  Ｍｅｄｉｃａｌ  Ｒｅｃｏｒｄ）に係るＳＯＡＰ方式に従って、「Ｓ（Ｓｕｂｊｅｃｔｉｖｅ：患者の訴え等の主観的情報）」、「Ｏ（Ｏｂｊｅｃｔｉｖｅ：検査結果、検査画像等の客観的情報）」、「Ａ（Ａｓｓｅｓｓｍｅｎｔ：医師や薬剤師の診断・評価）」、「Ｐ（Ｐｌａｎ：治療方針・計画）」の４つに分類された項目ごとに必要な情報が記録されるものが多い。診療情報２４は、好ましくは、ＳＯＡＰ方式に従って記録されているものである。また、診療情報２４には、服薬指導の内容として、過去に服薬指導として出力装置５０により出力された添付資料を特定する指導履歴情報が含まれていることが好ましい。なお、診療情報２４は、ＰＣ３０が後述の医療情報画面６に表示された保存ボタン５５（図３参照）による保存指示の入力を受け付けた場合のみならず、後述のカルテ入力領域６３（図３参照）に入力された内容を所定時間おきに自動的に保存するように構成されていても良い。
【００５４】
ＰＣ３０は、制御部３２と、記憶部３４と、表示装置３６と、入力装置３８と、ネットワークＩ／Ｆ４０と、を備える。これらの構成要素は、バス４２を介して互いに通信可能に構成されている。
【００５５】
制御部３２は、ＣＰＵであり、記憶部３４に記憶された各種プログラムに従って処理を実行する。制御部３２は、記憶部３４に記憶されたプログラムに従い、後述の服薬指導支援処理（図８参照）を実行する。記憶部３４は、各種プログラムおよび当該プログラムの実行に必要なデータ等を記憶する記憶装置である。なお、記憶部３４は、好ましくは、ＲＯＭ、ＲＡＭ、フラッシュメモリー、ＨＤＤ等が組み合わされて構成される。表示装置３６は、服薬指導支援装置１からインターネット６０を介して受信した添付資料を表示する液晶ディスプレイ（ＬＣＤ）である。入力装置３８は、例えば、キーボードやマウス等の、ＰＣ３０に指示や情報を入力するための装置である。ネットワークＩ／Ｆ４０は、ルータ７０を介して、出力装置５０およびインターネット６０に接続されている。
【００５６】
出力装置５０は、表示装置３６に表示された表示内容に基づく情報を印刷するプリンタである。ルータ７０は、インターネット６０を介して、服薬指導支援装置１および医療情報記憶部２０に接続されている。これにより、服薬指導支援装置１と、医療情報記憶部２０と、ＰＣ３０と、出力装置５０との間で、情報の送受信が行われる。
【００５７】
（服薬指導支援システム１の動作）
次に、服薬指導支援システム１の動作の一例について説明する。服薬指導支援システム１の動作とは、服薬指導支援装置１０、ＰＣ３０、および出力装置５０が図７〜９に示す処理を実行することにより、服薬指導支援システム１の各構成要素間でやり取りされる動作である。以下では、ＰＣ３０を操作する医師や看護師等の服薬指導の指導者が、表示装置３６に一覧表示された複数の添付資料から選択した１の添付資料を出力装置５０に出力させ、当該添付資料を服薬指導内容として記録させる場合の流れを例に挙げて説明する。なお、以下の服薬指導支援システム１の動作においては、服薬指導支援装置１０、医療情報記憶部２０、ＰＣ３０、および出力装置５０の間では、インターネット６０およびルータ７０を介して通信が実行される。ただし、以下では、特に言及しない限り、「インターネット６０を介して」および「ルータ７０を介して」という説明を省略する。また、以下の説明においては、「服薬指導支援装置１０の制御部１１」のことを、単に「服薬指導支援装置１０」とも称する。また、「ＰＣ３０の制御部３２」のことを、単に「ＰＣ３０」とも称する。
【００５８】
図２は、服薬指導支援システム１の動作の一例を示したシーケンス図である。図３は、実施形態１でＰＣ３０の表示装置３６に表示される医療情報画面６を示す図である。図４は、ＰＣ３０の表示装置３６に表示される添付資料画面８を示す図である。図５は、ＰＣ３０の表示装置３６に表示される添付資料画面８を示す図である。図６は、出力装置５０に出力される出力結果を示す図である。なお、実施形態１において、指導者がＰＣ３０の入力装置３８から医療情報画面６（図３参照）の表示指示の入力を行い、服薬指導支援装置１０がＰＣ３０から当該表示指示を受信することにより、図２に示すシーケンス図が開始されるものとする。医療情報画面６の表示指示は、例えば、表示装置３６に表示されるアイコンのクリック操作等により入力される。
【００５９】
まず、服薬指導支援装置１０は、ＰＣ３０の表示装置３６に医療情報画面６を表示させる（Ｄ００２）。より具体的には、服薬指導支援装置１０は、医療情報画面６を表示させるための表示データを取得し、ＰＣ３０に送信する。ＰＣ３０は、服薬指導支援装置１０から受信した当該表示データに基づき、表示装置３６に医療情報画面６を表示させる（Ｄ００４）。なお、医療情報画面６を表示させるための表示データは、患者の患者情報２２と、当該患者情報２２に関連付けて記憶されている診療情報２４と、医療情報画面６のテンプレートと、に基づき作成されるデータであることが好ましい。この場合、医療情報画面６のテンプレートは、医療情報記憶部２０に記憶されていても良いし、ＲＯＭ１３又はＲＡＭ１４、若しくは、添付資料記憶部１５に記憶されていても良い。また、医療情報画面６テンプレートは、ＰＣ３０の記憶部３４に記憶されていても良い。この場合、ＰＣ３０は、Ｄ００２において、服薬指導支援装置１０から受信した患者情報２２および診療情報２４と医療情報画面６のテンプレートとから表示データを作成し、表示装置３６に医療情報画面６を表示させれば良い（Ｄ００４）。
【００６０】
図３に示すように、医療情報画面６は、患者情報表示領域６１と、過去カルテ表示領域６２と、カルテ入力領域６３と、病名表示領域６６と、資料表示ボタン５２を含む各種ボタンと、を有する。患者情報表示領域６１は、例えば、氏名、生年月日、年齢、性別等、医療情報記憶部２０に記憶されている患者情報２２の少なくとも一部が表示される領域である。過去カルテ表示領域６２は、当該患者に対して過去に診察した診療情報２４が表示される領域である。カルテ入力領域６３は、今回の診察において医師等により入力される領域であり、診療記録を入力する診療記録領域６４と、処置内容や処方内容を入力する処置処方記録領域６５と、から構成される。病名表示領域６６は、患者が現在患っている病名を表示する領域である。医療情報画面６は、資料表示ボタン５２、栄養指導ボタン５４、保存ボタン５５、会計ボタン５６、閉ボタン５７、処方箋印刷ボタン５８等の各種ボタンを備える。
【００６１】
資料表示ボタン５２は、添付資料の表示指示、すなわち、後述の添付資料画面８（図４参照）を表示させる指示入力を受け付けるボタンである。なお、添付資料の表示指示は、本発明の「服薬指導の指示」の一例である。医療情報画面６は、好ましくは、処置処方記録領域６５に表示される薬名に関連付けられた添付資料が添付資料記憶部１５に記憶されている場合に、当該薬名に対応付けて処置処方記録領域６５に資料表示ボタン５２を表示する。一方、医療情報画面６は、好ましくは、例えば、処置処方記録領域６５に表示される薬名が示す薬に関する添付資料が製薬会社により発行されていない場合等、当該薬名に関連付けられた添付資料が添付資料記憶部１５に記憶されていない場合には、当該薬名に対応付けた資料表示ボタン５２を表示しない。図３に示す医療情報画面６では、処置処方記録領域６５に表示されている薬名「ＡＡ錠」および「ＢＢ」のうち、「ＡＡ錠」にのみ資料表示ボタン５２が対応付けて表示されている。これは、添付資料記憶部１５に、「ＡＡ錠」に関連付けられた添付資料が記憶されており、「ＢＢ」に関連付けられた添付資料が記憶されていないことを示す。よって、指導者は、医療情報画面６に資料表示ボタン５２が表示されているか否かを確認するだけで、処方された薬の添付資料があるか否かを容易に判断することができ、より効率的に服薬指導を行うことができる。なお、添付資料記憶部１５に記憶されている薬名と添付資料との関連付け方法は、特に制約されず、例えば、「ＡＡ錠」に関連付けて添付資料が記憶されていても良いし、「ＡＡ錠１ｍｇ」に関連付けて添付資料が記憶されていても良い。
【００６２】
栄養指導ボタン５４は、栄養指導の指示、例えば、栄養指導を行うための画面（図示を省略）を表示させる等の指示入力を受け付けるボタンである。保存ボタン５５は、カルテ入力領域６３に入力された内容を保存させる保存指示の入力を受け付けるボタンである。会計ボタン５６は、カルテ入力領域６３に入力された内容に従って請求金額を算出する指示入力を受け付けるボタンである。閉ボタン５７は、医療情報画面６の表示を終了する終了指示の入力を受け付けるボタンである。処方箋印刷ボタン５８は、カルテ入力領域６３に入力された内容に従って処方箋を印刷する指示入力を受け付けるボタンである。なお、医療情報画面６における各構成要素の配置および構成は、図３に示す態様に限定されない。
【００６３】
指導者が入力装置３８を介して資料表示ボタン５２の入力操作を行うと（Ｄ００６）、ＰＣ３０は、服薬指導支援装置１０へ添付資料の表示指示を送信する（Ｄ００８）。より具体的には、ＰＣ３０は、当該表示指示とともに、資料表示ボタン５２に対応付けて表示されている薬名を服薬指導支援装置１０へ送信する。
【００６４】
服薬指導支援装置１０は、ＰＣ３０から資料表示指示を受信すると、受信した薬名に関連付けて記憶されている添付資料を添付資料記憶部１５から取得する（Ｄ０１４）。そして、服薬指導支援装置１０は、取得した添付資料をＰＣ３０へ送信する（Ｄ０１６）。より具体的には、服薬指導支援装置１０は、取得した添付資料を一覧表示させるための表示データを、ＰＣ３０へ送信する。ＰＣ３０は、当該表示データを服薬指導支援装置１０から受信すると、当該表示データに基づき添付資料画面８（図４参照）を表示し、服薬指導支援装置１０から受信した添付資料を後述の一覧表示領域８１に表示する（Ｄ０１８）。なお、添付資料を一覧表示させるための表示データは、取得した添付資料、表示順序、添付資料画面８のテンプレート等に基づき作成されるデータであることが好ましい。この場合、添付資料画面８のテンプレートは、医療情報記憶部２０に記憶されていても良いし、ＲＯＭ１３又はＲＡＭ１４、若しくは、添付資料記憶部１５に記憶されていても良い。また、添付資料画面８のテンプレートは、ＰＣ３０の記憶部３４に記憶されていても良い。この場合、ＰＣ３０は、Ｄ０１６において、服薬指導支援装置１０から添付資料画面８のテンプレートを除く表示データを受信し、記憶部３４に記憶されている添付資料画面８のテンプレートと当該表示データとに基づき、添付資料を一覧表示した添付資料画面８を表示すれば良い（Ｄ０１８）。
【００６５】
図４および図５に示すように、添付資料画面８は、一覧表示領域８１と、詳細表示領域８２と、キーワード入力欄８３と、初回おすすめ表示ボタン８４と、表示順変更ボタン８５と、拡縮ボタン８６と、指導記録ボタン８７と、項目ボタン８８と、印刷ボタン８９と、終了ボタン９０と、を有する。一覧表示領域８１は、添付資料を一覧表示する領域である。一覧表示領域８１には、薬名を表示する表示バー９７に対応付けて、当該薬名に関連付けて添付資料記憶部１５に記憶されている複数の添付資料の少なくとも一部が表示される。一覧表示領域８１には、例えば、添付資料のタイトル等、添付資料の内容の要点を示す情報が一覧表示されていることが好ましい。本実施形態では、例えば、図４に示す「ＡＡ錠」の表示バー９７を、指導者がマウス等でクリック操作することにより、ＡＡ錠に関連付けて添付資料記憶部１５に記憶されている５つの添付資料がプルダウン形式で一覧表示され、指導者が当該表示バー９７を再度クリック操作することにより、当該５つの添付資料が非表示状態となる。なお、本明細書においては、「添付資料の要点を示す情報（添付資料のタイトル）を一覧表示させる」ことを、単に、「添付資料を一覧表示させる」とも称する。また、一覧表示領域８１は、薬名に対応付けて、当該薬名に関連付けて添付資料記憶部１５に記憶されている添付資料が一覧表示されるよう構成されていれば、プルダウン形式の表示形態に限定されず、種々の形態を採用できる。
【００６６】
詳細表示領域８２は、添付資料の詳細情報を表示する領域である（図５参照）。詳細表示領域８２は、添付資料の詳細情報が複数ページある場合に、次のページに表示を切り替える指示入力を受け付ける次ページボタン９８が表示される。キーワード入力欄８３は、添付資料を検索するために薬名等を示す文字列の入力を受け付ける欄である。
【００６７】
初回おすすめ表示ボタン８４は、初回服用患者用の添付資料の表示指示設定の入力を受け付けるチェックボックス形式のボタンである。初回おすすめ表示ボタン８４は、指導者がマウス等でチェックボックスにチェックを入れることにより、初回服用患者用の添付資料のみを表示する設定となり、指導者がマウス等でチェックボックスにチェックを外すことにより、初回服用患者用の添付資料と継続服用患者用の添付資料とを一緒に表示する設定となる。本実施形態において、初回おすすめ表示ボタン８４は、初期設定として、チェックボックスのチェックが外れた状態とする。図４および図５に示す添付資料画面８では、初回おすすめ表示ボタン８４にチェックが入っているため、ＡＡ錠に関連付けて添付資料記憶部１５に記憶されている医薬品指導箋のうち、初回服用患者用の指導箋のみが一覧表示領域８１に表示されている。表示順変更ボタン８５は、一覧表示領域８１に表示される添付資料の表示順序の変更指示を受け付けるプルダウン形式のボタンである。表示順変更ボタン８５で変更可能な表示順序の種類としては、例えば、印刷頻度順、新着順等が挙げられる。
【００６８】
拡縮ボタン８６は、詳細表示領域８２に表示される詳細情報の表示を拡大又は縮小する指示入力を受け付けるボタンである。拡縮ボタン８６は、拡縮率の選択を受け付けるプルダウン形式のボタンと、マウス等のクリックにより所定の割合の拡大又は縮小の指示入力を受け付ける＋−ボタンと、から構成される。指導記録ボタン８７は、服薬指導内容を診療情報２４に追加して記憶させる指導記録指示の入力指示を受け付けるボタンである。項目ボタン８８は、診療情報２４のうち服薬指導内容を追加する項目の指定を受け付けるプルダウン形式のボタンであり、ＳＯＡＰ方式の分類である「Ｓ」、「Ｏ」、「Ａ」、「Ｐ」の４つの項目のうちの１つを指定可能に構成されている。印刷ボタン８９は、詳細表示領域８２に表示されている表示内容の印刷指示の入力を受け付けるボタンである。終了ボタン９０は、添付資料画面８の表示を終了させる終了指示の入力を受け付けるボタンである。
【００６９】
添付資料画面８は、医薬品タブ９１と、生活指導タブ９２と、運動療法タブ９３と、疾病タブ９４と、その他タブ９５と、印刷履歴タブ９５と、を有する。医薬品タブ９１は、表示バー９７に表示される薬名に関連付けて添付資料記憶部１５に記憶されている複数の添付資料のうち、医薬品指導箋を表示するタブである。生活指導タブ９２は、表示バー９７に表示される薬名に関連付けて添付資料記憶部１５に記憶されている複数の添付資料のうち、生活指導指導箋を表示するタブである。運動療法タブ９３は、表示バー９７に表示される薬名に関連付けて添付資料記憶部１５に記憶されている複数の添付資料のうち、運動療法指導箋を表示するタブである。疾病タブ９４は、表示バー９７に表示される薬名に関連付けて添付資料記憶部１５に記憶されている複数の添付資料のうち、疾病指導箋を表示するタブである。その他タブ９５は、表示バー９７に表示される薬名に関連付けて添付資料記憶部１５に記憶されている複数の添付資料のうち、医薬品指導箋、生活指導指導箋、運動療法指導箋、および疾病指導箋以外の添付資料を表示するタブである。印刷履歴タブ９６は、出力装置５０により出力された添付資料の履歴を表示するタブである。なお、これらのタブ９１〜９６により切り替えられる各表示画面は、何れも図４に示す添付資料画面８と同様の構成であることが好ましい。
【００７０】
本発明では、Ｄ０１８において、ＰＣ３０が添付資料画面８を表示する際に、図４および図５に示すように、医薬品タブ９１がアクティブに表示されることが好ましい。この場合、服薬指導支援装置１０は、Ｄ０１４において、Ｄ００８で受信した薬名に関連付けて記憶されている添付資料のうち医薬品指導箋のみを添付資料記憶部１５から取得し、Ｄ０１６において、取得した医薬品指導箋をＰＣ３０へ送信することが好ましい。なお、服薬指導支援装置１０は、Ｄ０１４において、Ｄ００８で受信した薬名に関連付けて記憶されている全ての添付資料を取得しても良い。また、この場合、服薬指導支援装置１０は、Ｄ０１６において、Ｄ０１４で取得した添付資料のうち医薬品指導箋のみをＰＣ３０へ送信しても良いし、Ｄ０１４で取得した全ての添付資料をＰＣ３０へ送信しても良い。また、添付資料画面８における各構成要素の配置および構成は、図４および図５に示す態様に限定されない。また、Ｄ０１８において、ＰＣ３０が添付資料画面８を表示する際に、医薬品タブ９１以外のタブ９２〜９６がアクティブに表示されていても良い。
【００７１】
指導者が入力装置３８を介して、一覧表示領域８１に表示されている添付資料のうち１の添付資料の選択操作を行うと（Ｄ０２０）、ＰＣ３０は、選択された添付資料を特定する情報を含む選択指示を服薬指導支援装置１０へ送信する（Ｄ０２２）。服薬指導支援装置１０は、ＰＣ３０から選択指示を受信すると、添付資料記憶部１５に記憶されている当該選択された添付資料の詳細情報を取得し（Ｄ０２４）、当該詳細情報をＰＣ３０へ送信する（Ｄ０２６）。ＰＣ３０は、受信した詳細情報を、添付資料画面８の詳細表示領域８２に表示する（Ｄ０２８）。例えば、図５に示すように、指導者が一覧表示領域８１に表示されている「ＡＡ錠を服用される方へ」を選択操作した場合（Ｄ０２０）、ＰＣ３０は、「ＡＡ錠を服用される方へ」の添付資料を特定する情報を含む選択指示を服薬指導支援装置１０へ送信する（Ｄ０２２）。ＰＣ３０は、服薬指導支援装置１０から「ＡＡ錠を服用される方へ」の添付資料の詳細情報を受信し（Ｄ０２６）、詳細表示領域８２に表示する（Ｄ０２８）。
【００７２】
指導者が入力装置３８を介して印刷ボタン８９を選択操作すると（Ｄ０３０）、ＰＣ３０は、印刷指示を服薬指導支援装置１０へ送信する（Ｄ０３２）。そして、服薬指導支援装置１０は、詳細表示領域８２に表示されている表示内容を出力装置５０で印刷するために必要なデータおよび印刷指示を出力装置５０に送信する（Ｄ０３４）。出力装置５０は、服薬指導支援装置１０から印刷指示を受信すると、印刷を実行し、図６に示す印刷結果９を出力する（Ｄ０３６）。なお、本発明においては、詳細表示領域８２に表示されている表示内容に基づく印刷結果であれば、図６に示す印刷結果９に限定されない。
【００７３】
指導者が入力装置３８を介して指導記録ボタン８７を選択操作すると（Ｄ０３８）、ＰＣ３０は、指導記録指示を服薬指導支援装置１０へ送信する（Ｄ０４０）。服薬指導支援装置１０は、出力装置５０に印刷させた添付資料を特定する指導履歴情報を、服薬指導内容として、診療情報２４に追加して医療情報記憶部２０に記憶させる（Ｄ０４２）。より具体的には、服薬指導支援装置１０は、診療情報２４のうち、項目ボタン８８により指定された項目の領域に、指導履歴情報を追加して記憶させる。図５に示す添付資料画面８では、項目ボタン８８によりＰの項目が指定されているため、服薬指導支援装置１０は、Ｄ０４２において、診療情報２４のうちＰの項目の領域に、指導履歴情報を追加して記憶させる。このように診療情報２４に追加して記憶された指導履歴情報は、次回の診察時に当該診療情報２４が医療情報画面６に表示される際に、過去カルテ表示領域６２のＰの項目の領域に［服薬指導］として表示される（図３参照）。なお、過去カルテ表示領域６２における指導履歴情報の表示方法は、図３に示す形態に限定されず、服薬指導内容が認識可能な形態で表示されていれば良い。
【００７４】
指導者が入力装置３８を介して終了ボタン９０を選択操作すると（Ｄ０４４）、ＰＣ３０は、終了指示を服薬指導支援装置１０へ送信し（Ｄ０４６）、本処理を終了する。これにより、服薬指導支援装置１０は、患者が処方された１の薬名に関連付けられた複数の添付資料を表示装置３６に一覧表示し、さらに、一覧表示された添付資料のうち少なくとも１の添付資料を出力装置５０に出力することができるため、患者に対して効率的かつ容易に、適切な服薬指導を行うことができる。
【００７５】
（服薬指導支援装置１０の服薬指導支援処理）
次に、服薬指導支援装置１０が実行する服薬指導支援処理について詳細に説明する。
【００７６】
図７は、服薬指導支援装置１０の服薬指導支援処理を示すフローチャートを示す図である。実施形態１において、服薬指導支援装置１０の制御部１１は、ＰＣ３０から医療情報画面６の表示指示を受信すると、ＲＯＭ１３に記憶された服薬指導支援プログラム１３０に従って図７に示す服薬指導支援処理を開始する。
【００７７】
まず、ステップＳ１００（以下、ステップを省略）において、制御部１１は、医療情報画面６を表示装置３６に表示させる。なお、Ｓ１００の処理は、図２のＤ００２の処理と同様であるため、詳細な説明を省略する。そして、制御部１１は、添付資料の表示指示を受信したか否かを判断する（Ｓ１０２）。なお、制御部１１は、ＰＣ３０から添付資料の表示指示を受信する際に、当該表示指示とともに薬名を受信する。表示指示を受信していない場合（Ｓ１０２：ＮＯ）、制御部１１は、その他の指示を受信したか否かを判断する（Ｓ１０４）。その他の指示を受信した場合（Ｓ１０４：ＹＥＳ）、制御部１１は、受信した指示に応じた処理を実行し（Ｓ１０６）、服薬指導支援処理を終了する。一方、その他の指示を受信していない場合（Ｓ１０４：ＮＯ）、制御部１１は、Ｓ１００へ移行する。なお、その他の指示とは、例えば、医療情報画面６の保存ボタン５５の入力操作に基づく保存指示や、閉ボタン５７の入力操作に基づく終了指示等の各種指示である（図３参照）。また、受信した指示に応じた処理とは、例えば、保存指示に基づきカルテ入力領域に入力された内容を保存する処理や、終了指示に基づき医療情報画面６の表示を終了する処理等の処理である。
【００７８】
添付資料の表示指示を受信した場合（Ｓ１０２：ＹＥＳ）、ＰＣ３０から当該表示指示とともに受信した薬名に関連付けて記憶されている添付資料を、添付資料記憶部１５から取得する（Ｓ１１２）。なお、制御部１１は、受信した薬名をＲＡＭ１４に記憶することが好ましい。そして、制御部１１は、取得した添付資料を添付資料画面８の一覧表示領域８１に表示させる（Ｓ１１４）。本発明では、制御部１１が、Ｓ１０２において添付資料の表示指示を受信してから初めて添付資料画面８を表示させる際には、図４に示すように、医薬品タブ９１がアクティブに表示されることが好ましい。よって、制御部１１は、ＰＣ３０から受信した薬名に関連付けて記憶されている添付資料のうち、医薬品指導箋のみを添付資料記憶部１５から取得し（Ｓ１１２）、取得した医薬品指導箋をＰＣ３０へ送信することが好ましい（Ｓ１１４）。Ｓ１１４の処理は、図２のＤ０１６の処理と同様であるため、詳細な説明を省略する。図４の添付資料画面８により示される例では、制御部１１は、ＡＡ錠を特定する情報を薬名として受信し、ＡＡ錠に関連付けられた添付資料を取得する。なお、制御部１１は、ＰＣ３０から受信した薬名に関連付けて添付資料記憶部１５に記憶されている全ての添付資料を取得し（Ｓ１１２）、取得した添付資料のうち医薬品指導箋のみをＰＣ３０へ送信して一覧表示領域８１に表示させても良い（Ｓ１１４）。この場合、制御部１１は、Ｓ１１２において添付資料記憶部１５から取得した当該全ての添付資料を、ＲＡＭ１４に格納しても良い。
【００７９】
制御部１１は、添付資料画面８に一覧表示されている添付資料のうち何れかの添付資料が選択されたか否かを判断する（Ｓ１１６）。より具体的には、制御部１１は、指導者により選択された添付資料を特定する情報を含む選択指示を、ＰＣ３０から受信したか否かを判断する。添付資料が選択されていない場合（Ｓ１１６：ＮＯ）、制御部１１は、初回服用患者用の添付資料のみを表示させる指示である初回服用患者用表示指示を、ＰＣ３０から受信したか否かを判断する（Ｓ１１８）。初回服用患者用表示指示は、指導者により添付資料画面８の初回おすすめ表示ボタン８４のチェックボックスにチェックが入れられた場合に、ＰＣ３０から服薬指導支援装置１０へ送信される指示である。初回服用患者用表示指示を受信した場合（Ｓ１１８：ＹＥＳ）、制御部１１は、添付資料画面８の一覧表示領域８１に一覧表示している複数の添付資料のうち、初回服用患者用の添付資料のみを取得し（Ｓ１２０）、Ｓ１１４へ移行する。
【００８０】
初回服用患者用表示指示を受信していない場合（Ｓ１１８：ＮＯ）、制御部１１は、タブ選択指示をＰＣ３０から受信したか否かを判断する（Ｓ１２２）。タブ選択指示は、指導者により、添付資料画面８の医薬品タブ９１、生活指導タブ９２、運動療法タブ９３、疾病タブ９４、その他タブ９５、および印刷履歴タブ９６のうち、何れかのタブが選択された場合に、ＰＣ３０から服薬指導支援装置１０へ送信される指示であり、本発明の「他の種類の添付資料への表示変更指示」に相当する。タブ選択指示は、選択されたタブを特定する情報が含まれていることが好ましい。タブ選択指示を受信した場合（Ｓ１２２：ＹＥＳ）、制御部１１は、添付資料画面８に表示されている添付資料に関連付けられた薬名に関連付けられて添付資料記憶部１５に記憶されている添付資料のうち、選択されたタブに分類される添付資料のみを取得し（Ｓ１２４）、Ｓ１１４へ移行する。なお、添付資料画面８に表示されている添付資料に関連付けられた薬名とは、添付資料の表示指示とともにＰＣ３０から受信した薬名、或いは、後述のＳ１２６によりＰＣ３０から受信したキーワードに含まれる薬名である。例えば、図４の添付資料画面８において、指導者により生活指導タブ９２が選択された場合、制御部１１は、生活指導タブ９２を特定する情報を含むタブ選択指示をＰＣ３０から受信し（Ｓ１２２：ＹＥＳ）、「ＡＡ錠」に関連付けられた添付資料のうち、生活指導指導箋のみを取得し（Ｓ１２４）、取得した生活指導指導箋を一覧表示領域８１に一覧表示させる（Ｓ１１４）。なお、制御部１１が薬名に関連付けられた全ての添付資料を添付資料記憶部１５から取得してＲＡＭ１４に格納した場合（Ｓ１１２）、制御部１１は、Ｓ１２４において、ＲＡＭ１４に記憶されている添付資料のうち、選択されたタブに分類される添付資料のみを取得しても良い。
【００８１】
タブ選択指示を受信していない場合（Ｓ１２２：ＮＯ）、制御部１１は、キーワード入力欄８３にキーワードが入力されたか否かを判断する（Ｓ１２６）。より具体的には、制御部１１は、指導者により入力装置３８を介して入力されたキーワードを、ＰＣ３０から受信したか否かを判断する。キーワードが入力された場合（Ｓ１２６：ＹＥＳ）、制御部１１は、添付資料記憶部１５に記憶されている全ての添付資料のうち、入力されたキーワードを含む添付資料を取得し（Ｓ１２８）、Ｓ１１４へ移行する。例えば、１の患者に対してＡＡ錠およびＣＣ錠の２種類の薬が処方されている場合、指導者は、図５に示す添付資料画面８を介してＡＡ錠に関する添付資料を出力装置５０に出力させた後、キーワード入力欄８３に「ＣＣ錠」の少なくとも一部の文字列を入力することにより、ＣＣ錠に関する添付資料を添付資料画面８に表示させ、所望のＣＣ錠に関する添付資料を出力装置５０に出力させることができる。すなわち、この場合、指導者は、添付資料画面８（図５参照）を介してＡＡ錠に関する添付資料を出力装置５０に出力させた後に、医療情報画面６（図３参照）に戻って、改めてＣＣ錠に対応付けて表示されている資料表示ボタン５２を入力指示する操作を行う必要がなく、添付資料画面８を介した入力操作のみで、ＡＡ錠及びＣＣ錠に関する添付資料の表示および出力を行うことができる。よって、１の患者に対して複数種類の薬が処方された場合であっても、指導者は、キーワード入力欄８３を利用することにより、添付資料画面８を介した入力操作のみで複数種類の薬に関する添付資料を表示および出力させることができる。なお、制御部１１は、Ｓ１２６においてＰＣ３０から受信したキーワードに薬名が含まれる場合、当該薬名をＲＡＭ１４に記憶しておくことが好ましい。
【００８２】
キーワードが入力されていない場合（Ｓ１２６：ＮＯ）、制御部１１は、表示順変更指示を受信したか否かを判断する（Ｓ１３０）。表示順変更指示は、指導者により表示順変更ボタン８５を介して表示順序の変更指示を受け付けた場合に、ＰＣ３０から服薬指導支援装置１０へ送信される指示である。表示順変更指示には、指導者により指定された表示順序を特定する情報が含まれていることが好ましい。表示順変更指示を受信した場合（Ｓ１３０：ＹＥＳ）、制御部１１は、一覧表示領域８１に一覧表示させている添付資料の表示順序を、表示順変更指示に基づき特定される表示順序に従って変更し（Ｓ１３２）、Ｓ１１４へ移行する。一方、表示順変更指示を受信していない場合（Ｓ１３０：ＮＯ）、制御部１１は、Ｓ１１４へ移行する。
【００８３】
添付資料が選択された場合（Ｓ１１６：ＹＥＳ）、制御部１１は、選択された添付資料の詳細情報を添付資料記憶部１５から取得し（Ｓ１３４）、当該詳細情報を詳細表示領域８２に表示させる（Ｓ１３６）。図４および図５の添付資料画面８に示される例では、一覧表示領域８１に表示されている「ＡＡ錠を服用される方へ」の添付資料が選択され（Ｓ１１６：ＹＥＳ）、「ＡＡ錠を服用される方へ」の添付資料の詳細情報が詳細表示領域８２に表示されている（Ｓ１３４）。
【００８４】
詳細情報が詳細表示領域８２に表示された状態（図５参照）において、制御部１１は、ＰＣ３０から印刷指示を受信したか否かを判断する（Ｓ１３８）。印刷指示を受信していない場合（Ｓ１３８：ＮＯ）、制御部１１は、Ｓ１４２に移行する。一方、印刷指示を受信した場合（Ｓ１３８：ＹＥＳ）、制御部１１は、詳細表示領域８２に表示されている表示内容を出力装置５０で印刷するために必要なデータおよび印刷指示を、出力装置５０に送信する（Ｓ１４０）。詳細表示領域８２に表示されている表示内容を出力装置５０で印刷するために必要なデータとは、例えば、詳細表示領域８２に表示されている詳細情報および印刷設定等のデータである。
【００８５】
そして、制御部１１は、ＰＣ３０から指導記録指示を受信したか否かを判断する（Ｓ１４２）。指導記録指示を受信していない場合（Ｓ１４２：ＮＯ）、制御部１１は、Ｓ１４６に移行する。一方、指導記録指示を受信した場合（Ｓ１４２：ＹＥＳ）、制御部１１は、指導履歴情報を保健指導内容として、診療情報２４に追加して記憶させる（Ｓ１４４）。なお、Ｓ１４４の処理は、図２のＤ０４２の処理と同様であるため、詳細な説明を省略する。例えば、図５の添付資料画面８において、指導者は、出力装置５０において図６に示す印刷結果９を出力し（Ｓ１４０）、指導記録ボタン８７の入力操作を行った場合（Ｓ１４２：ＹＥＳ）、「ＡＡ錠を服用される方へ」の添付資料を特定する指導履歴情報が、診療情報２４のうちＰの項目に追加して記憶される。
【００８６】
そして、制御部１１は、ＰＣ３０から終了指示を受信したか否か判断する（Ｓ１４６）。終了指示を受信した場合（Ｓ１４６：ＹＥＳ）、制御部１１は、服薬指導支援処理を終了する。一方、終了指示を受信していない場合（Ｓ１４６：ＮＯ）、制御部１１は、Ｓ１１６へ移行する。
【００８７】
（ＰＣ３０の服薬指導支援処理）
次に、ＰＣ３０が実行する服薬指導支援処理について詳細に説明する。
【００８８】
図８は、ＰＣ３０の服薬指導支援処理を示すフローチャートを示す図である。なお、ＰＣ３０の制御部３２は、入力装置３８から医療情報画面６（図３参照）の表示指示の入力を受け付けることにより、図８に示す服薬指導支援処理を開始する。
【００８９】
まず、制御部３２は、服薬指導支援装置１０から受信した医療情報画面６を表示させるための表示データに基づき、表示装置３６に医療情報画面６を表示させる（Ｓ３００）。なお、Ｓ３００の処理は、図２のＤ００４の処理と同様であるため、詳細な説明を省略する。そして、制御部３２は、指導者による資料表示ボタン５２の入力を受け付けたか否かを判断する（Ｓ３０２）。資料表示ボタン５２の入力を受け付けていない場合（Ｓ３０２：ＮＯ）、制御部３２は、その他の入力を受け付けたか否かを判断する（Ｓ３０４）。その他の入力を受け付けた場合（Ｓ３０４：ＹＥＳ）、制御部３２は、入力に応じた処理を実行し（Ｓ３０６）、服薬指導支援処理を終了する。一方、その他の入力を受け付けていない場合（Ｓ３０４：ＮＯ）、制御部３２は、Ｓ３００へ移行する。なお、その他の入力とは、例えば、医療情報画面６の保存ボタン５５の入力や閉ボタン５７の入力等の各種入力である（図３参照）。また、入力に応じた処理とは、例えば、保存ボタン５５の入力に応じて保存指示を服薬指導支援装置１０へ送信する処理や、閉ボタン５７の入力に応じて終了指示を服薬指導支援装置１０へ送信する処理等の処理である。
【００９０】
資料表示ボタン５２の入力を受け付けた場合（Ｓ３０２：ＹＥＳ）、制御部３２は、添付資料の表示指示を服薬指導支援装置１０へ送信する（Ｓ３０８）。そして、制御部３２は、服薬指導支援装置１０から添付資料を受信し（Ｓ３１０）、当該添付資料を添付資料画面８の一覧表示領域８１（図４参照）に表示する（Ｓ３１２）。より具体的には、制御部３２は、添付資料を一覧表示領域８１に一覧表示させるための表示データを、服薬指導支援装置１０から受信し（Ｓ３１０）、当該表示データに基づき添付資料を一覧表示領域８１に配置した添付資料画面８を表示装置３６に表示する（Ｓ３１２）。なお、当該表示データは、取得された添付資料、表示順序、添付資料画面８のテンプレート等に基づき作成されるデータであることが好ましい。また、添付資料画面８のテンプレートは、記憶部３４に記憶されていても良い。この場合、Ｓ３１２において、制御部３２は、添付資料画面８のテンプレートを除く表示データを受信し、記憶部３４に記憶されている添付資料画面８のテンプレートと当該表示データとに基づき、添付資料を一覧表示領域８１に配置した添付資料画面８を表示すれば良い。
【００９１】
そして、制御部３２は、一覧表示領域８１に表示されている添付資料のうち何れかの添付資料が入力装置３８を介して選択されたか否かを判断する（Ｓ３１４）。添付資料が選択されていない場合（Ｓ３１４：ＮＯ）、制御部３２は、指導者による初回おすすめ表示ボタン８４の入力を受け付けたか否かを判断する（Ｓ３１６）。初回おすすめ表示ボタン８４の入力を受け付けた場合（Ｓ３１６：ＹＥＳ）、制御部３２は、初回服用患者用表示指示を服薬指導支援装置１０へ送信し（Ｓ３１８）、Ｓ３１０へ移行する。一方、初回おすすめ表示ボタン８４の入力を受け付けていない場合（Ｓ３１６：ＮＯ）、制御部３２は、指導者により、添付資料画面８の医薬品タブ９１、生活指導タブ９２、運動療法タブ９３、疾病タブ９４、その他タブ９５、および印刷履歴タブ９６のうち、何れかのタブが選択されたか否かを判断する（Ｓ３２０）。タブ９１〜９６が選択された場合（Ｓ３２０：ＹＥＳ）、制御部３２は、選択されたタブを特定する情報を含むタブ選択指示をＰＣ３０へ送信し（Ｓ３２２）、Ｓ３１０へ移行する。
【００９２】
タブ９１〜９６が選択されていない場合（Ｓ３２０：ＮＯ）、制御部３２は、入力装置３８を介して、キーワード入力欄８３にキーワードが入力されたか否かを判断する（Ｓ３２４）。キーワードが入力された場合（Ｓ３２４：ＹＥＳ）、制御部３２は、入力されたキーワードを服薬指導支援装置１０へ送信し（Ｓ３２６）、Ｓ３１０へ移行する。一方、キーワードが入力されていない場合（Ｓ３２４：ＮＯ）、制御部３２は、指導者により表示順変更ボタン８５を介して表示順序の変更指示を受け付けたか否かを判断する（Ｓ３２８）。表示順序の変更指示を受け付けた場合（Ｓ３２８：ＹＥＳ）、制御部３２は、表示順変更指示を服薬指導支援装置１０へ送信し（Ｓ３３０）、Ｓ３１０へ移行する。一方、表示順序の変更指示を受け付けていない場合（Ｓ３２８：ＮＯ）、制御部３２は、Ｓ３１０へ移行する。
【００９３】
添付資料が選択された場合（Ｓ３１４：ＹＥＳ）、制御部３２は、選択された添付資料を特定する情報を含む選択指示を服薬指導支援装置１０へ送信する（Ｓ３３２）。そして、制御部３２は、添付資料の詳細情報を服薬指導支援装置１０から受信し（Ｓ３３４）、当該詳細情報を添付資料画面８の詳細表示領域８２（図５参照）に表示する（Ｓ３３６）。そして、制御部３２は、入力装置３８を介して印刷ボタン８９の入力を受け付けたか否かを判断する（Ｓ３３８）。印刷ボタン８９の入力を受け付けていない場合（Ｓ３３８：ＮＯ）、制御部３２は、Ｓ３４２へ移行する。一方、印刷ボタン８９の入力を受け付けた場合（Ｓ３３８：ＹＥＳ）、制御部３２は、詳細表示領域８２に表示されている添付資料の印刷指示を、服薬指導支援装置１０へ送信する（Ｓ３４０）。
【００９４】
そして、制御部３２は、入力装置３８を介して指導記録ボタン８７の入力を受け付けたか否かを判断する（Ｓ３４２）。指導記録ボタン８７の入力を受け付けていない場合（Ｓ３４２：ＮＯ）、制御部３２は、Ｓ３４６へ移行する。一方、指導記録ボタン８７の入力を受け付けた場合（Ｓ３４２：ＹＥＳ）、制御部３２は、指導記録指示を服薬指導支援装置１０へ送信する（Ｓ３４４）。そして、制御部３２は、入力装置３８を介して終了ボタン９０の入力を受け付けたか否かを判断する（Ｓ３４６）。終了ボタン９０の入力を受け付けた場合（Ｓ３４６：ＹＥＳ）、制御部３２は、服薬指導支援処理を終了する。一方、終了ボタン９０の入力を受け付けていない場合（Ｓ３４６：ＮＯ）、制御部３２は、Ｓ３１４へ移行する。
【００９５】
（出力装置５０の動作）
次に、出力装置５０の動作について詳細に説明する。
【００９６】
図９は、出力装置５０の処理を示すフローチャートを示す図である。なお、出力装置５０は、服薬指導支援装置１０やＰＣ３０等の外部装置から指示を受信することにより、図９に示す処理を開始する。
【００９７】
まず、出力装置５０は、印刷指示を受信したか否かを判断する（Ｓ５００）。印刷指示を受信した場合（Ｓ５００：ＹＥＳ）、出力装置５０は、印刷指示に基づき印刷を行い（Ｓ５０２）、本処理を終了する。一方、印刷指示を受信しない場合（Ｓ５００：ＮＯ）、出力装置５０は、本処理を終了する。
【００９８】
本発明の服薬指導支援装置１０によれば、患者が処方された１の薬名に関連付けられた複数の添付資料を表示装置３６に一覧表示させ（Ｓ１１４）、一覧表示された添付資料のうち少なくとも１の添付資料を出力装置５０に出力させるため（Ｓ１４０）、患者に対して効率的かつ容易に、適切な服薬指導を行うことができる。
【００９９】
また、本発明の服薬指導支援装置１０によれば、医療情報画面６の資料表示ボタン５２を介して添付資料の表示指示を受け付けた場合に（Ｓ１０２：ＹＥＳ）、添付資料を一覧表示させる（Ｓ１１４）。このため、指導者は、患者に対して、診察や服薬指導を行うために医療情報画面６を表示した状態で、資料表示ボタン５２による簡易な操作により服薬指導のために必要な添付資料を表示することができる。よって、指導者の負荷を軽減し、より効率的に服薬指導を行うことができる。
【０１００】
また、本発明の服薬指導支援装置１０によれば、医療情報画面６に表示される薬名に関連付けられた添付資料が記憶されている場合には、当該薬名に資料表示ボタン５２が対応付けて表示される（Ｓ１００）。一方、医療情報画面６に表示される薬名に関連付けられた添付資料が記憶されていない場合には、当該薬名に対応付けられた資料表示ボタン５２が表示されない（Ｓ１００）。よって、指導者は、医療情報画面６から処方された薬の添付資料があるか否かを容易に判断することができる。
【０１０１】
また、本発明の服薬指導支援装置１０によれば、指導記録ボタン８７を介して指導記録指示を受け付けた場合に（Ｓ１４２：ＹＥＳ）、出力装置５０に出力させた添付資料を示す情報（指導履歴情報）を服薬指導内容として診療情報２４に追加して記憶させる（Ｓ１４４）。このため、指導者は、指導記録ボタン８７による簡易な操作を行うだけで、指導履歴情報を服薬指導内容として、診療情報２４に追加して記憶させることができる。よって、指導者が患者に対して服薬指導を行った後に別途行っていた服薬指導内容の入力作業を省略することができ、指導者の負荷を軽減し、より効率的に服薬指導を行うことができる。
【０１０２】
また、本発明の服薬指導支援装置１０によれば、指導履歴情報を服薬指導内容として、診療情報２４のうち、添付資料画面８の項目ボタン８８を介して指定された項目に追加して記憶させるため（Ｓ１４４）、指導者の負荷を軽減し、より効率的に服薬指導を行うことができる。
【０１０３】
また、本発明の服薬指導支援装置１０によれば、初回服用患者用表示指示を受信した場合に（Ｓ１１８：ＹＥＳ）、患者が処方された１の薬名に関連付けられた添付資料のうち、初回服用患者用の添付資料のみを表示装置３６に表示させる（Ｓ１２０，Ｓ１１４）。このため、指導者は、処方された薬を初めて服用する患者に対して服薬指導を行う場合に、当該患者に適した添付資料を容易に抽出することができ、より効率的に服薬指導を行うことができる。
【０１０４】
また、本発明の服薬指導支援装置１０によれば、患者が処方された１の薬名に関連付けられた添付資料のうち、１の種類に分類された添付資料を表示装置３６に一覧表示させ、タブ選択指示を受信した場合に（Ｓ１２２：ＹＥＳ）、選択されたタブにより特定される種類に分類された添付資料を一覧表示させる（Ｓ１２４，Ｓ１１４）。このため、指導者は、患者に対して服薬指導を行う際に、種類ごとに添付資料の表示を切り替えることができる。よって、指導者は、必要な添付資料を容易に抽出することができ、より効率的に服薬指導を行うことができる。
【０１０５】
また、本発明の服薬指導支援装置１０によれば、キーワードが入力された場合（Ｓ１２６：ＹＥＳ）、添付資料記憶部１５に記憶されている全ての添付資料のうち、入力されたキーワードを含む添付資料を一覧表示させる（Ｓ１２８，Ｓ１１４）。このため、１の患者に対して複数種類の薬が処方された場合であっても、指導者は、異なる種類の薬に関する添付資料を表示させるために、その都度、医療情報画面６（図３参照）に戻って当該薬名に対応付けて表示されている資料表示ボタン５２の入力操作を行う必要がなく、例えば、キーワード入力欄８３に異なる種類の薬名の少なくとも一部を入力することにより、添付資料画面８を介した入力操作のみで複数種類の薬に関する添付資料を表示および出力させることができる。
【０１０６】
［実施形態２］
実施形態２の服薬指導支援システム１ａは、患者に対して薬を調剤する薬局等において、薬剤師等により服薬指導が行われる場合に有用なシステムである。
【０１０７】
実施形態２に係る服薬指導支援装置１０を有する服薬指導支援システム１ａ（図１０を用いて後述する）は、基本的には図１に示す実施形態１に係る服薬指導支援装置１０を有する服薬指導支援システム１と同様であるが、実施形態２の服薬指導支援システム１ａの医療情報記憶部２０ａに、診療情報２４に代えて調剤情報２６が記憶されている点で、実施形態１の服薬指導支援システム１と異なる。なお、実施形態２の服薬指導支援システム１ａは、図１〜図９に示す実施形態１の服薬指導支援システム１と同じ符号は同じ意味を有する。実施形態１に係る服薬指導支援装置１０が有する効果のうち、実施形態２に係る栄養指導支援装置１０に該当する効果については同様の効果を有する。
【０１０８】
図１０は、実施形態２で服薬指導支援システム１ａを説明するブロック図である。図１１は、実施形態２でＰＣ３０の表示装置３６に表示される医療情報画面６ａを示す図である。
【０１０９】
（服薬指導支援システム１ａの構成）
服薬指導支援システム１ａは、図１０に示すように、服薬指導支援装置１０と、医療情報記憶部２０ａと、ＰＣ３０と、出力装置５０と、インターネット６０と、ルータ７０と、を備える。医療情報記憶部２０ａ以外の構成は、実施形態１の服薬指導支援システム１と同様の構成のため、詳細な説明を省略する。
【０１１０】
医療情報記憶部２０ａは、患者を特定する患者情報２２と、医療情報として当該患者の調剤情報２６と、を関連付けて記憶する記憶装置である。調剤情報２６とは、薬剤師が行う調剤および服薬指導の内容を記録した情報のことであり、薬歴ともいう。すなわち、医療情報記憶部２０ａには、薬剤師が調剤した際に薬歴に記入された調剤内容が、調剤情報２６として記憶されている。一般に、薬歴は、電子カルテと同様に、問題指向型診療記録に係るＳＯＡＰ方式に従って、「Ｓ」、「Ｏ」、「Ａ」、「Ｐ」の４つに分類された項目ごとに必要な情報が記録されるものが多い。調剤情報２６は、好ましくは、ＳＯＡＰ方式に従って記録されているものである。また、調剤情報２６には、服薬指導の内容として、過去に服薬指導として出力装置５０により出力された添付資料を特定する指導履歴情報が含まれていることが好ましい。なお、調剤情報２６は、ＰＣ３０が後述の医療情報画面６ａに表示された保存ボタン５５（図１１参照）による保存指示の入力を受け付けた場合のみならず、後述の薬歴入力領域７３（図１１参照）に入力された内容を所定時間おきに自動的に保存するように構成されていても良い。また、調剤情報２６以外の構成は、実施形態１の医療情報記憶部２０と同様の構成のため、詳細な説明を省略する。
【０１１１】
（服薬指導支援システム１ａの動作）
次に、服薬指導支援システム１ａの動作の一例について説明する。実施形態２の服薬指導支援システム１ａの動作は、実施形態１の服薬指導支援システム１の動作とほぼ同様であるため、図２を参照して説明する。以下では、実施形態１と同様に、ＰＣ３０を操作する薬剤師等の服薬指導の指導者が、表示装置３６に一覧表示された複数の添付資料から選択した１の添付資料を出力装置５０に出力させ、当該添付資料を服薬指導内容として記録させる場合の流れを例に挙げて説明する。なお、実施形態２において、指導者がＰＣ３０の入力装置３８から医療情報画面６ａ（図１１参照）の表示指示の入力を行い、服薬指導支援装置１０がＰＣ３０から当該表示指示を受信することにより、図２に示すシーケンス図が開始されるものとする。医療情報画面６ａの表示指示は、例えば、表示装置３６に表示されるアイコンのクリック操作等により入力される。
【０１１２】
まず、服薬指導支援装置１０は、ＰＣ３０の表示装置３６に医療情報画面６ａ（図１１参照）を表示させる（Ｄ００２）。より具体的には、服薬指導支援装置１０は、医療情報画面６ａを表示させるための表示データを取得し、ＰＣ３０に送信する。なお、医療情報画面６ａを表示させるための表示データは、実施形態１の医療情報画面６を表示させるための表示データと同様の構成のため、詳細な説明を省略する。そして、ＰＣ３０は、服薬指導支援装置１０から受信した当該表示データに基づき、医療情報画面６ａを表示装置３６に表示する（Ｄ００４）。なお、Ｄ００４の処理は、実施形態１に係るＤ００４の処理と同様であるため、詳細な説明を省略する。
【０１１３】
図１１に示すように、医療情報画面６ａは、患者情報表示領域７１と、過去薬歴表示領域７２と、薬歴入力領域７３と、資料表示ボタン５２を含む各種ボタンと、を有する。患者情報表示領域７１は、医療情報記憶部２０ａに記憶されている患者情報２２の少なくとも一部が表示される領域である。過去薬歴表示領域７２は、当該患者に対して過去に調剤された調剤内容が表示される調剤表示領域７４と、その調剤の際に患者に指導した指導内容が表示される指導内容表示領域７５と、から構成される。薬歴入力領域７３は、今回の調剤において薬剤師により入力される領域であり、調剤記録を記入する調剤記録領域７６と、患者に指導した指導内容を入力する指導内容記録領域７７と、から構成される。指導内容記録領域７７は、好ましくは、ＳＯＡＰ方式に従って入力される。医療情報画面６ａは、実施形態１と同様に、資料表示ボタン５２、栄養指導ボタン５４、保存ボタン５５、会計ボタン５６、閉ボタン５７、処方箋印刷ボタン５８等の各種ボタンを備える。なお、各種ボタンは、実施形態１の医療情報画面６の各種ボタンと同様の構成のため、詳細な説明を省略する。
【０１１４】
医療情報画面６ａは、好ましくは、調剤記録領域７６に表示される薬名に関連付けられた添付資料が添付資料記憶部１５に記憶されている場合に、当該薬名に対応付けて調剤記録領域７６に資料表示ボタン５２を表示する。一方、医療情報画面６ａは、好ましくは、例えば、調剤記録領域７６に表示される薬名が示す薬に関する添付資料が製薬会社により発行されていない場合等、当該薬名に関連付けられた添付資料が添付資料記憶部１５に記憶されていない場合には、当該薬名に対応付けた資料表示ボタン５２を表示しない。図１１に示す医療情報画面６ａでは、調剤記録領域７６に表示されている薬名「ＡＡ錠」および「ＢＢ」のうち、「ＡＡ錠」にのみ資料表示ボタン５２が対応付けて表示されている。これは、添付資料記憶部１５に、「ＡＡ錠」に関連付けられた添付資料が記憶されており、「ＢＢ」に関連付けられた添付資料が記憶されていないことを示す。よって、指導者は、医療情報画面６ａに資料表示ボタン５２が表示されているか否かを確認するだけで、処方された薬の添付資料があるか否かを容易に判断することができ、より効率的に服薬指導を行うことができる。なお、医療情報画面６ａにおける各構成要素の配置および構成は、図１１に示す態様に限定されない。
【０１１５】
Ｄ００６〜Ｄ０３６の処理を実行し、指導者が入力装置３８を介して指導記録ボタン８７を選択操作すると（Ｄ０３８）、ＰＣ３０は、指導記録指示を服薬指導支援装置１０へ送信する（Ｄ０４０）。服薬指導支援装置１０は、出力装置５０に印刷させた添付資料を特定する指導履歴情報を、服薬指導内容として、調剤情報２６に追加して医療情報記憶部２０ａに記憶させる（Ｄ０４２）。より具体的には、服薬指導支援装置１０は、調剤情報２６のうち、項目ボタン８８により指定された項目の領域に、指導履歴情報を追加して記憶させる。このように調剤情報２６に追加して記憶された指導履歴情報は、次回の診察時に当該調剤情報２６が医療情報画面６に表示される際に、過去薬歴表示領域７２のＰの項目の領域に［服薬指導］として表示される（図１１参照）。なお、過去薬歴表示領域７２における指導履歴情報の表示方法は、図１１に示す形態に限定されず、服薬指導内容が認識可能な形態で表示されていれば良い。そして、指導者が入力装置３８を介して終了ボタン９０を選択操作すると（Ｄ０４４）、ＰＣ３０は、終了指示を服薬指導支援装置１０へ送信し（Ｄ０４６）、本処理を終了する。なお、Ｄ００６〜Ｄ０４０およびＤ０４４〜Ｄ０４６の処理は、実施形態１に係るＤ００６〜Ｄ０４０およびＤ０４４〜Ｄ０４６の処理と同様であるため、詳細な説明を省略する。
【０１１６】
（服薬指導支援装置１０の服薬指導支援処理）
次に、実施形態２に係る服薬指導支援装置１０の服薬指導支援処理について説明する。実施形態２に係る服薬指導支援装置１０の服薬指導支援処理は、実施形態１に係る服薬指導支援装置１０の服薬指導支援処理とほぼ同様であるため、図７を参照して説明する。実施形態２において、服薬指導支援装置１０の制御部１１は、ＰＣ３０から医療情報画面６ａの表示指示を受信すると、ＲＯＭ１３に記憶された服薬指導支援プログラム１３０に従って図７に示す服薬指導支援処理を開始する。
【０１１７】
制御部１１は、Ｓ１００において、医療情報画面６ａを表示装置３６に表示させる。なお、このＳ１００の処理は、上述の実施形態２に係るＤ００２の処理と同様であるため、詳細な説明を省略する。そして、制御部１１は、Ｓ１０２〜Ｓ１４０の処理を実行し、指導記録指示をＰＣ３０から受信したか否かを判断する（Ｓ１４２）。指導記録指示を受信していない場合（Ｓ１４２：ＮＯ）、制御部１１は、Ｓ１４６の処理を実行し、服薬指導支援処理を終了する。一方、指導記録指示を受信した場合（Ｓ１４２：ＹＥＳ）、制御部１１は、指導履歴情報を保健指導内容として、調剤情報２６に追加して記憶させ（Ｓ１４４）、Ｓ１４６の処理を実行して、服薬指導支援処理を終了する。なお、このＳ１４４の処理は、上述の実施形態２に係るＤ０４２の処理と同様であるため、詳細な説明を省略する。また、Ｓ１０２〜Ｓ１４０、およびＳ１４６の処理は、実施形態１に係るＳ１０２〜Ｓ１４０、およびＳ１４６の処理と同様であるため、詳細な説明を省略する。また、ＰＣ３０および出力装置５０の処理は、実施形態１に係るＰＣ３０の服薬指導支援処理（図８参照）および出力装置５０の処理（図９参照）と同様であるため、詳細な説明を省略する。
【０１１８】
制御部１１は、Ｓ１４４において、Ｓ１００で医療情報画面６（図３参照）を表示させている場合（実施形態１）は、指導履歴情報を診療情報２４に追加して記憶させ、Ｓ１００で医療情報画面６ａ（図１１参照）を表示させている場合（実施形態２）は、指導履歴情報を調剤情報２６に追加して記憶させるよう制御することが好ましい。このように制御することにより、服薬指導支援装置１０は、実施形態１の服薬指導支援システム１（病院用システム）および実施形態２の服薬指導支援システム１ａ（薬局用システム）のいずれのシステムにも導入可能となる。このため、病院用および薬局用に服薬指導支援装置１０をそれぞれ構築する必要がなく、服薬指導支援装置１０を導入する際の利便性が向上する。
【０１１９】
本発明の服薬指導支援装置１０によれば、医療情報画面６ａの資料表示ボタン５２を介して添付資料の表示指示を受け付けた場合に（Ｓ１０２：ＹＥＳ）、添付資料を一覧表示させる（Ｓ１１４）。このため、指導者は、患者に対して、診察や服薬指導を行うために医療情報画面６ａを表示した状態で、資料表示ボタン５２による簡易な操作により服薬指導のために必要な添付資料を表示することができる。よって、指導者の負荷を軽減し、より効率的に服薬指導を行うことができる。
【０１２０】
また、本発明の服薬指導支援装置１０によれば、医療情報画面６ａに表示される薬名に関連付けられた添付資料が記憶されている場合には、当該薬名に資料表示ボタン５２が対応付けて表示される（Ｓ１００）。一方、医療情報画面６ａに表示される薬名に関連付けられた添付資料が記憶されていない場合には、当該薬名に対応付けられた資料表示ボタン５２が表示されない（Ｓ１００）。よって、指導者は、医療情報画面６ａから処方された薬の添付資料があるか否かを容易に判断することができる。
【０１２１】
また、本発明の服薬指導支援装置１０によれば、指導記録ボタン８７を介して指導記録指示を受け付けた場合に（Ｓ１４２：ＹＥＳ）、出力装置５０に出力させた添付資料を示す情報（指導履歴情報）を服薬指導内容として調剤情報２６に追加して記憶させる（Ｓ１４４）。このため、指導者は、指導記録ボタン８７による簡易な操作を行うだけで、指導履歴情報を服薬指導内容として、調剤情報２６に追加して記憶させることができる。よって、指導者が患者に対して服薬指導を行った後に別途行っていた服薬指導内容の入力作業を省略することができ、指導者の負荷を軽減し、より効率的に服薬指導を行うことができる。
【０１２２】
また、本発明の服薬指導支援装置１０によれば、指導履歴情報を服薬指導内容として、調剤情報２６のうち、添付資料画面８の項目ボタン８８を介して指定された項目に追加して記憶させるため（Ｓ１４４）、指導者の負荷を軽減し、より効率的に服薬指導を行うことができる。
【０１２３】
また、本発明の服薬指導支援装置１０によれば、医療情報記憶部２０，２０ａ（図１、図１０参照）は、インターネット６０を介して服薬指導支援装置１０と接続されているため、例えば、従来から導入されている電子カルテシステムや薬歴管理システム等が備える診療情報２４（図１参照）又は調剤情報２６（図１０参照）を含む医療情報を記憶した既存のデータベースを、本発明の医療情報記憶部２０，２０ａとして用いることができる。すなわち、膨大なデータ量の患者情報２２および医療情報２４，２６を新たに服薬指導支援装置１０内に格納する必要がなく、既存のデータベースを用いることができるため、服薬指導支援装置１０を導入する際の利便性が向上する。
【０１２４】
また、本発明の服薬指導支援装置１０によれば、Ｓ１００において、ＰＣ３０から医療情報画面６の表示指示を受信した場合に、医療情報画面６を表示装置３６に表示させ（実施形態１）、ＰＣ３０から医療情報画面６ａの表示指示を受信した場合に、医療情報画面６ａを表示装置３６に表示させる（実施形態２）。このようにすると、実施形態１の服薬指導支援システム１（病院用システム）および実施形態２の服薬指導支援システム１ａ（薬局用システム）として、服薬指導支援装置１０をそれぞれ構築する必要がなく、服薬指導支援装置１０を導入する際の利便性が向上する。
【０１２５】
上記実施形態において、Ｓ１００を実行する制御部１１は、医療情報表示制御手段の一例である。Ｓ１１４を実行する制御部１１は、一覧表示制御手段、一覧表示制御工程、および一覧表示制御機能の一例である。Ｓ１４０を実行する制御部１１は、出力制御手段、出力制御工程、および出力制御機能の一例である。Ｓ１４４を実行する制御部１１は、記憶制御手段の一例である。制御部１１は、コンピュータの一例である。
【０１２６】
なお、本発明の「一覧表示制御手段」とは、服薬指導の指示を受け付けた場合に、ＲＯＭ１３に格納された服薬指導支援プログラム１３０を読み込み、一覧表示制御機能を実行するＣＰＵ（制御部１１）をいう。本発明の「出力制御手段」とは、ＲＯＭ１３に格納された服薬指導支援プログラム１３０に従い、出力制御機能を実行するＣＰＵ（制御部１１）をいう。本発明の「医療情報表示制御手段」とは、ＲＯＭ１３に格納された服薬指導支援プログラム１３０に従い、医療情報画面６，６ａを表示装置３６に表示させる機能を実行するＣＰＵ（制御部１１）をいう。本発明の「記憶制御手段」とは、ＲＯＭ１３に格納された服薬指導支援プログラム１３０に従い、医療情報記憶部２０，２０ａに服薬指導内容を医療情報に追加して記憶させる機能を実行するＣＰＵ（制御部１１）をいう。
【０１２７】
以上、本発明を上記の実施形態に基づいて説明したが、本発明は上記の実施形態に限定されるものではない。その趣旨を逸脱しない範囲において種々の形態において実施することが可能である。例えば、下記に示すような変形実施も可能である。
【０１２８】
（１）上記の実施形態において、出力装置５０はプリンタとしたが、本発明はこれに限定されるものではない。出力装置５０は、表示装置３６に表示された表示内容に基づく情報を表示する携帯端末やＰＣであっても良い。このようにすると、例えば、患者自身が所有する携帯端末やＰＣに、指導者により選択された添付資料を表示させることができ、利便性が高くなる。近年では、製薬会社は、薬の添付資料として、当該薬の飲み方を説明するための動画を提供する場合がある。このような場合においては、例えば、患者自身が所有する携帯端末やＰＣを出力装置５０とすることにより、薬の飲み方を説明する動画を携帯端末やＰＣで再生することができる。よって、指導者は、添付資料が動画等で構成されている場合であっても、患者に対して適切な服薬指導を行うことができる。
【０１２９】
（２）上述の実施形態において、医療情報記憶部２０，２０ａは、インターネット６０を介して服薬指導支援装置１０と接続されていたが、本発明はこれに限定されるものではなく、服薬指導支援装置１０が医療情報記憶部２０，２０ａを備えていても良い。すなわち、服薬指導支援装置１０の制御部１１は、バス１８を介して、医療情報記憶部２０，２０ａに記憶されている各種情報を取得したり、医療情報記憶部２０，２０ａに各種情報を格納することができる。
【０１３０】
（３）上述の実施形態において、添付資料記憶部１５は、服薬指導支援装置１０に備えられ、バス１８を介して制御部１１と接続されていたが、本発明はこれに限定されるものではない。添付資料記憶部１５は、インターネット６０を介して服薬指導支援装置１０と接続されていても良い。すなわち、服薬指導支援装置１０の制御部１１は、インターネット６０を介して、添付資料記憶部１５に記憶されている各種情報を取得することができる。
【０１３１】
（４）上述の実施形態において、医療情報画面６，６ａは、表示されている薬名に関連付けられた添付資料が添付資料記憶部１５に記憶されていない場合に、当該薬名に対応付けた資料表示ボタン５２を表示しない構成を採っていたが、本発明はこれに限定されるものではない。医療情報画面６，６ａは、表示されている薬名に関連付けられた添付資料が添付資料記憶部１５に記憶されていない場合にも、当該薬名に対応付けた資料表示ボタン５２を表示しても良い。この場合、添付資料が記憶されていない薬名に対応付けた資料表示ボタン５２が指導者により操作された際には、例えば、エラー表示を行う等、添付資料がない旨を示す表示を行うことが好ましい。このようにすると、指導者は、添付資料がない旨を示す表示を確認することにより、処方された薬の添付資料がない旨を容易に判断することができる。また、医療情報画面６，６ａは、例えば、資料表示ボタン５２の表示色を異ならせる等、添付資料が記憶されていない薬名に対応付けた資料表示ボタン５２と、添付資料が記憶されている薬名に対応付けた資料表示ボタン５２と、が異なる態様で表示されていても良い。このようにすると、指導者は、医療情報画面６，６ａに表示されている資料表示ボタン５２の態様を確認するだけで、処方された薬の添付資料があるか否かを容易に判断することができる。
【０１３２】
（５）上述の実施形態において、服薬指導支援装置１０の制御部１１は、ＰＣ３０からキーワードを受信すると（Ｓ１２６：ＹＥＳ）、添付資料記憶部１５に記憶されている全ての添付資料のうち、入力されたキーワードを含む添付資料を取得して（Ｓ１２８）、添付資料画面８に一覧表示させていたが（Ｓ１１４）、本発明はこれに限定されるものではない。服薬指導支援装置１０の制御部１１は、ＰＣ３０からキーワードを受信すると（Ｓ１２６：ＹＥＳ）、添付資料画面８の一覧表示領域８１に表示されている添付資料のうち、入力されたキーワードを含む添付資料を取得して（Ｓ１２８）、添付資料画面８に一覧表示させても良い。このようにすると、服薬指導支援装置１０は、添付資料画面８の一覧表示領域８１に表示されている複数の添付資料から、キーワードを含む添付資料のみを抽出して表示させることができる。よって、指導者は、キーワードを入力することにより、一覧表示されている複数の添付資料から所望の添付資料を容易に抽出することができる。
【０１３３】
（６）上述の実施形態において、服薬指導支援装置１０は、初回おすすめ表示ボタン８４の入力に応じて、添付資料画面８に、初回服用患者用の添付資料のみを表示させるか、或いは、初回服用患者用の添付資料および継続服用患者用の添付資料を表示させるかを切り替えていたが（Ｓ１１８，Ｓ１２０）、本発明はこれに限定されるものではない。例えば、添付資料画面８は、初回おすすめ表示ボタン８４を備えなくても良い。この場合、服薬指導支援装置１０の制御部１１は、図７のＳ１１８〜Ｓ１２０を省略して、服薬指導支援処理（図７）を実行すれば良い。また、服薬指導支援装置１０の制御部１１は、図７のＳ１１２を実行した後に、診療情報２４又は調剤情報２６に基づき、ＰＣ３０から添付資料の表示指示とともに受信した薬名が示す薬が初回服用か否かを判断しても良い。この判断により初回服用であると判断された場合、制御部１１は、図７のＳ１１４において、Ｓ１１２で取得した添付資料のうち、初回服用患者用の添付資料のみを一覧表示させても良い。また、初回服用でないと判断された場合、制御部１１は、Ｓ１１４において、Ｓ１１２で取得した添付資料のうち、初回服用患者用の添付資料以外の添付資料を一覧表示させても良い。このようにすると、服薬指導対象の患者が当該薬を服用したことがあるか否かに応じて、初回服用患者用の添付資料又は継続服用患者用の添付資料のいずれか一方を表示させることができる。よって、指導者は、患者に対して効率的かつ容易に、適切な服薬指導を行うことができる。
【０１３４】
（７）上述の実施形態において、添付資料画面８は、医薬品タブ９１と、生活指導タブ９２と、運動療法タブ９３と、疾病タブ９４と、その他タブ９５と、印刷履歴タブ９６と、を有していたが、本発明はこれに限定されるものではなく、これらのタブ９１〜９６を有さなくても良い。この場合、添付資料画面８には、添付資料の種類（医薬品指導箋、生活指導指導箋、運動療法指導箋、疾病指導箋等）に関わらず、患者が処方された薬名に関連付けた全ての添付資料のうち少なくとも一部が一覧表示される。すなわち、服薬指導支援装置１０の制御部１１は、図７のＳ１２２〜Ｓ１２４を省略して、服薬指導支援処理（図７）を実行すれば良い。
【０１３５】
（８）上述の実施形態において、添付資料画面８は、表示順変更ボタン８５を備えていたが、本発明はこれに限定されるものではなく、表示順変更ボタン８５を備えていなくても良い。この場合、服薬指導支援装置１０の制御部１１は、図７のＳ１３０〜Ｓ１３２を省略して、服薬指導支援処理（図７）を実行すればよい。
【０１３６】
（９）上述の実施形態において、服薬指導支援装置１０の制御部１１は、ＰＣ３０から添付資料の表示指示とともに薬名を受信していたが（図７のＳ１０２）、本発明はこれに限定されるものではない。制御部１１は、指導者が入力装置３８を介して入力した薬名をＰＣ３０から受信しても良い。
【０１３７】
（１０）上述の実施形態において、添付資料画面８は、指導記録ボタン８７を備えていたが（図４、図５参照）、本発明はこれに限定されるものではなく、指導記録ボタン８７を備えなくても良い。この場合、服薬指導支援装置１０の制御部１１は、図７のＳ１４２〜Ｓ１４４を省略して、服薬指導支援処理（図７参照）を実行すれば良い。また、添付資料画面８は、項目ボタン８８を備えていたが（図４、図５参照）、本発明はこれに限定されるものではなく、項目ボタン８８を備えなくても良い。
【０１３８】
（１１）上述の実施形態において、添付資料記憶部１５は、薬名に関連付けて添付資料を記憶していたが、本発明はこれに限定されるものではない。添付資料記憶部１５は、病名に関連付けて添付資料を記憶していても良い。
【符号の説明】
【０１３９】
６，６ａ…医療情報画面、８…添付資料画面、１０…服薬指導支援装置、１１…制御部（コンピュータ）、１５…添付資料記憶部、２０，２０ａ…医療情報記憶部、２４…診療情報（医療情報）、２６…調剤情報（医療情報）、３６…表示装置、３８…入力装置、５０…出力装置、５２…資料表示ボタン、８７…指導記録ボタン、１３０…服薬指導支援プログラム
【図１】
2020144828.tif 000003
【図２】
2020144828.tif 000004
【図３】
2020144828.tif 000005
【図４】
2020144828.tif 000006
【図５】
2020144828.tif 000007
【図６】
2020144828.tif 000008
【図７】
2020144828.tif 000009
【図８】
2020144828.tif 000010
【図９】
2020144828.tif 000011
【図１０】
2020144828.tif 000012
【図１１】
2020144828.tif 000013
【図１２】
2020144828.tif 000014